(57)【特許請求の範囲】
【請求項１】
遊技球が流下可能な遊技領域が前側に設けられる遊技盤と、該遊技盤に配設されて遊技球が入賞可能な始動入賞口と、前記遊技盤に配設された枠状装飾体と、前記遊技盤の裏側に配設した設置部材に配設され、各種図柄を可変表示可能な表示部を前記枠状装飾体に設けた第１開口部に後方から臨ませると共に、前記始動入賞口への入賞を契機として図柄変動を開始する図柄表示装置とを備える遊技機において、
前記設置部材には、可動体の動作により演出を行なう可動演出装置および少なくとも遊技状態を表示可能な表示部を有する表示器が配設されると共に、
前記枠状装飾体には、前記表示器における表示部および前記可動演出装置の可動体を前側から視認可能に臨ませる第２開口部が形成され、
前記表示器および可動演出装置から導出する配線を纏めて引き回す配線経路を、前記設置部材に設けた
ことを特徴とする遊技機。
【請求項２】
前記設置部材に設けた設置部に、前記表示器および可動演出装置が共通して配設される請求項１記載の遊技機。
【請求項３】
前記設置部材には、前記遊技盤との間に配線挿通用の配線凹部が設けられ、前記表示器および可動演出装置と設置部材の裏側に配設された基板とが配線凹部に挿通された配線によって接続される請求項１または２記載の遊技機。
【請求項４】
前記表示器は、前記始動入賞口への入賞を契機とした図柄変動後の遊技状態を表示する表示部の他に、遊技に関する状態を表示する別の表示部を備える請求項１〜３の何れか一項に記載の遊技機。
【請求項５】
前記表示器は、前記設置部材の前面から前方に突出するよう配設されると共に、該表示器に設けられた光透過孔を介して遊技状態を表示する発光体が前側に臨むよう構成される請求項１〜４の何れか一項に記載の遊技機。
【発明の詳細な説明】
【技術分野】
【０００１】
この発明は、遊技状態を表示する表示器を備える遊技機に関するものである。
【背景技術】
【０００２】
代表的な遊技機であるパチンコ機は、機内にセットされる遊技盤の前面に画成した遊技領域の略中央位置に枠状の枠状装飾体(所謂センター役物)が前側から配設されると共に、該遊技盤の裏側には設置部材が配設される。設置部材には、各種図柄を変動表示して図柄変動演出を行う液晶パネル等が用いられた図柄表示装置が配設され、該図柄表示装置の表示部を前記枠状装飾体の窓口に臨ませ、この図柄表示装置で図柄変動演出やリーチ演出等の遊技演出を行うよう構成されている。また、パチンコ機では、所要の動作を行う可動体を備えた可動演出装置を枠状装飾体に配設し、該可動体を図柄表示装置で行われる遊技演出に合わせて動作させることにより、視覚的な演出効果を向上させて遊技の興趣を高めている。
【０００３】
この種のパチンコ機では、遊技盤の前面側に、遊技領域に打ち出されたパチンコ球が入賞可能な入賞装置が配設され、該入賞装置へのパチンコ球の入賞により図柄表示装置での図柄変動演出が開始されるよう構成されている。そして、パチンコ機では、図柄変動演出の結果として図柄表示装置に所定の組合わせで図柄が停止すると、遊技者に有利な所謂大当りが発生するようになっている。
【０００４】
また、前記遊技盤には、前記図柄表示装置で行われる図柄変動演出後の遊技状態を、７セグメント形ＬＥＤからなる表示部で表示する表示器が、遊技者から視認し得るように配設される(例えば、特許文献１参照)。
【先行技術文献】
【特許文献】
【０００５】
【特許文献１】特開２００７−６９４９号公報
【発明の概要】
【発明が解決しようとする課題】
【０００６】
前記パチンコ機では、枠状装飾体、遊技盤、設置部材を組立てるに際しては、先ず遊技盤に枠状装飾体を前側から取り付けた後に、設置部材を遊技盤の裏側に取り付けるのが一般的である。また、前記表示器から導出する配線や可動演出装置から導出する配線は、設置部材の裏側に配設される中継基板に接続される。このため、特許文献１に開示のように表示器を遊技盤に配設する構成においては、遊技盤の裏側に設置部材を取り付けるに際しては、表示器から導出する配線を設置部材と遊技盤とで挟み込まないように注意して取り付け作業を行わなければならず、取り付け作業が煩雑となっている。また可動演出装置から導出する配線については、遊技盤に対して枠状装飾体および設置部材を取り付けるに際し、枠状装飾体と遊技盤との間、および設置部材と遊技盤との間で挟み込まないように注意して取り付け作業を行わなければならず、取り付け作業が煩雑となる。
【０００７】
すなわち本発明は、従来の技術に係る遊技機に内在する前記課題に鑑み、これを好適に解決するべく提案されたものであって、枠状装飾体および設置部材の取り付け作業性が良好な遊技機を提供することを目的とする。
【課題を解決するための手段】
【０００８】
前記課題を克服し、所期の目的を達成するため、本願の請求項１に係る発明は、
遊技球が流下可能な遊技領域(30a)が前側に設けられる遊技盤(30)と、該遊技盤(30)に配設されて遊技球が入賞可能な始動入賞口(66,67)と、前記遊技盤(30)に配設された枠状装飾体(40)と、前記遊技盤(30)の裏側に配設した設置部材(90)に配設され、各種図柄を可変表示可能な表示部を前記枠状装飾体(40)に設けた第１開口部(40a)に後方から臨ませると共に、前記始動入賞口(66,67)への入賞を契機として図柄変動を開始する図柄表示装置(19)とを備える遊技機において、
前記設置部材(90)には、可動体(150)の動作により演出を行う可動演出装置(145)および少なくとも遊技状態を表示可能な表示部を有する表示器(155)が配設されると共に、
前記枠状装飾体(40)には、前記表示器(155)における表示部(165)および前記可動演出装置(145)の可動体(150)を前側から視認可能に臨ませる第２開口部(40b)が形成され、
前記表示器(155)および可動演出装置(145)から導出する配線を纏めて引き回す配線経路(94b)を、前記設置部材(90)に設けたことを要旨とする。
【０００９】
請求項１の発明によれば、表示器および可動演出装置を設置部材に配設する構成により、枠状装飾体および設置部材を遊技盤に取り付ける際に表示器および可動演出装置から導出する配線が遊技盤との間で挟み込まれるのを注意することなく取り付け作業を行うことができ、作業性を良好とし得る。また、表示器および可動演出装置から導出する配線を、設置部材に設けた配線経路に纏めて引き回し得るから、配線処理が簡単となる。
【００１０】
請求項２に係る発明では、前記設置部材(90)に設けた設置部(99)に、前記表示器(155)および可動演出装置(145)が共通して配設されることを要旨とする。
請求項２の発明によれば、表示器および可動演出装置とから導出する配線を纏め易く、配線経路を引き回す作業が容易となる。
【００１１】
請求項３に係る発明では、前記設置部材(90)には、前記遊技盤(30)との間に配線挿通用の配線凹部(94b)が設けられ、前記表示器(155)および可動演出装置(145)と設置部材(90)の裏側に配設された基板とが配線凹部(94b)に挿通された配線によって接続されることを要旨とする。
請求項３の発明によれば、設置部材と遊技盤との間に設けた配線挿通用の配線凹部から表示器および可動演出装置の配線を裏側に引き出すことができるので、設置部材の裏側に配設した基板と配線との接続が容易となる。
【００１２】
請求項４に係る発明では、前記表示器(155)は、前記始動入賞口(66,67)への入賞を契機とした図柄変動後の遊技状態を表示する表示部(165)の他に、遊技に関する状態を表示する別の表示部(166)を備えることを要旨とする。
請求項４の発明によれば、表示器に、遊技状態を表示する複数の表示部を設けてあるから、複数の表示部から導出する複数の配線を纏めて引き回すことができ、配線処理を簡略化し得る。
【００１３】
請求項５に係る発明では、前記表示器(155)は、前記設置部材(90)の前面から前方に突出するよう配設されると共に、該表示器(155)に設けられた光透過孔(158)を介して遊技状態を表示する発光体(161)が前側に臨むよう構成されることを要旨とする。
請求項５の発明によれば、表示部の視認性を向上し得る。
【発明の効果】
【００１４】
本発明に係る遊技機によれば、遊技盤に対する枠状装飾体および設置部材の取り付け作業性を良好にし得ると共に、表示器および可動演出装置から導出する配線の処理が簡単となる。
【図面の簡単な説明】
【００１５】
【図１】本発明の実施例に係るパチンコ機を示す正面図である。
【図２】実施例に係るパチンコ機の前枠および遊技盤を省略した正面図である。
【図３】実施例に係る遊技盤の正面図である。
【図４】実施例に係る制御装置と各部の接続関係を示すブロック図である。
【図５】実施例に係る遊技盤の各装着口を示す正面図である。
【図６】実施例に係る遊技盤における入賞口形成部材の配設位置周辺を拡大した正面図である。
【図７】実施例に係る枠状装飾体の斜視図である。
【図８】実施例に係る枠状装飾体において球案内通路の形成位置周辺を拡大した正面図である。
【図９】実施例に係る枠状装飾体を球案内通路の形成位置で縦断した側面図である。
【図１０】実施例に係る枠状装飾体の第２窓口の形成位置を拡大した正面図である。
【図１１】実施例に係る中枠の上枠部材および遊技盤を縦断した側面図である。
【図１２】実施例に係る入賞口形成部材を示す斜視図であって、(a)は正面側から視た状態を示し、(b)は背面側から視た状態を示す。
【図１３】実施例に係る設置部材を示す正面図である。
【図１４】実施例に係る設置部材を示す背面図であって、配線挿通凹部の形成位置を拡大して示す。
【図１５】実施例に係る設置部材を示す平面図であって、配線挿通凹部の形成位置を拡大して示す。
【図１６】実施例に係る設置部材を示す斜視図であって、球排出経路の形成位置周辺を拡大して示す。
【図１７】実施例に係る設置部材を示す正面図であって、球排出経路の形成位置周辺を拡大して示す。
【図１８】実施例に係る設置部材を示す正面図であって、球排出経路の形成位置周辺を第１表示器および発光装置を配設した状態で示す拡大図である。
【図１９】(a)は、第１表示器および入賞口形成部材の関係を、該入賞口形成部材を縦断した状態で示す概略図であり、(b)は可動演出装置および第２表示器の側面図であって、枠状装飾体との関係を概略で示す。
【図２０】(a)は第１表示器を示す正面図であり、(b)は第２表示器を示す正面図である。
【図２１】実施例に係る設置部材を示す正面図であって、可動演出装置および第２表示器の配設位置周辺を示す拡大図である。
【図２２】実施例に係る可動演出装置および第２表示器を示す分解斜視図である。
【発明を実施するための形態】
【００１６】
次に、本発明に係る遊技機につき、好適な実施例を挙げて、添付図面を参照しながら以下詳細に説明する。なお、実施例では、遊技球としてパチンコ球を用いて遊技を行うパチンコ機１０を例に挙げて説明する。また、以下の説明において、「前」、「後」、「左」、「右」とは、特に断りのない限り、図１に示すようにパチンコ機１０を前側(遊技者側)から見た状態で指称する。
【実施例】
【００１７】
(パチンコ機１０について)
実施例に係るパチンコ機１０は、図１〜図３に示すように、前後に開口する矩形枠状に形成されて遊技店の図示しない設置枠台に縦置き姿勢で設置される固定枠としての外枠１１の開口前面側に、遊技盤３０を着脱可能に保持する本体枠としての中枠１２が開閉および着脱可能に組み付けられて、該遊技盤３０の裏側に、所定条件の成立(後述する始動入賞装置６５の第１始動入賞口６６または第２始動入賞口６７へのパチンコ球の入賞)を契機として演出用の図柄(以下演出図柄という)を変動表示させて図柄変動演出を行う図柄表示装置１９が着脱可能に配設されている。また、前記中枠１２の前面側には、前記遊技盤３０を透視保護するガラス板や透明な合成樹脂材により形成された透視保護板１３ａで前後に開口する窓部を覆うよう構成された装飾枠としての前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。
【００１８】
(中枠１２について)
図２に示すように、前記中枠１２は、上縁をなす上枠部材２０と、下縁をなし、スピーカ１６や打球発射装置１７、操作ハンドル１８等が設置された下枠部材２１と、左側縁をなす左枠部材２２と、右側縁をなす右枠部材２３とから構成されて、これら上下左右の枠部材２０,２１,２２,２３を組み付けた際に、全体が前記外枠１１の開口に整合する矩形枠状に形成される。そして、前記上下左右の枠部材２０,２１,２２,２３を組み付けた際に前後に開口する開口部分が、前記遊技盤３０を着脱可能に設置する遊技盤保持部２４として機能する(図２参照)。また、前記左枠部材２２の開口内側(遊技盤保持部２４側)には、上下に離間する位置に、前記遊技盤３０の左側端部を回転および着脱可能に保持する回転保持具２５ａが複数(実施例では２個であるが、１個或いは３個以上であってもよい)設けられると共に、上下の枠部材２０,２１における右端部(右枠部材２３側)に、遊技盤３０の右側上下端部を固定する固定具２５ｂが夫々設けられている。すなわち、前記遊技盤３０を中枠１２に配設するには、前記遊技盤保持部２４に斜めに遊技盤３０を臨ませて、該遊技盤３０の左側端部を前記回転保持具２５ａで保持した状態で、遊技盤３０の右側端部を押し込んで遊技盤３０の左側端部(回転保持具２５ａ)を中心に回動させて遊技盤３０の全体を遊技盤保持部２４に臨ませて、前記固定具２５ｂで遊技盤３０の右側上下端部を支持固定する。このように、実施例に係る遊技盤３０は、前記中枠１２と同様に、左側端部が回転中心となるよう支持される。
【００１９】
図２、図１１に示すように、前記上枠部材２０の裏側には、設置枠台等に設けられた外部球供給設備から供給されるパチンコ球を貯留する球タンク２６が、該上枠部材２０の左右幅の略全幅に亘って設けられている。この球タンク２６は、前記遊技盤保持部２４の上部後方に臨んで、該遊技盤保持部２４に配設された遊技盤３０の上部位置と前後に重なるよう構成されて、遊技盤３０の上下寸法を最大限大きくし得るようになっている。なお、前記下枠部材２１の裏側には、前記上下の球受け皿１４,１５に連通する球供給路および設置枠台に設けた球回収樋に連通する球排出路が夫々形成されたセット部材(何れも図示せず)が配設されている。そして、前記球タンク２６およびセット部材は、各部材における左枠部材２２側の端部間に架設された球通路ユニット２８を介して連通接続されており、該球通路ユニット２８に配設された球払出し装置の駆動により球タンク２６に供給されたパチンコ球を前記上下の球受け皿１４,１５へ給出するよう構成されている。
【００２０】
(遊技盤３０について)
前記遊技盤３０は、図３に示すように、所定板厚の略矩形状に形成された木材板の表面に、各種絵柄等が描かれた合成樹脂シート(図示せず)等を貼付けて装飾した板部材であって、該遊技盤３０の表面(盤面)に配設された略円形状に湾曲形成する案内レール３１により、パチンコ球が流下可能な遊技領域３０ａが画成されている。また、前記遊技盤３０の裏面に、前記図柄表示装置１９が取り付けられた設置部材９０(後述)が配設されている。なお、実施例では、前記図柄表示装置１９としては、各種演出図柄を表示可能な液晶パネルを収容ケースに収容した液晶表示装置が採用されるが、これに限られるものではなく、ドラム式の図柄表示装置１９やドットマトリックス式の図柄表示装置１９等の演出図柄を停止および変動表示可能な従来公知の各種の図柄表示装置１９を採用し得る。
【００２１】
(遊技盤３０の装着口)
また、前記遊技盤３０には、図５に示すように、ルーター加工等の孔空け加工により前後に貫通する複数の装着口３２ａ,３２ｂ,３２ｃが開設されて、各装着口３２ａ,３２ｂ,３２ｃに対して各種の遊技盤設置部品(具体的には後述する枠状装飾体４０、始動入賞装置６５、特別入賞装置７０、入賞口形成部材７５等)が前側から取り付けられると共に、遊技領域３０ａの最下部位置には、該遊技領域３０ａに打ち出されたパチンコ球を排出するアウト口３３が開設されている。
【００２２】
ここで、実施例の前記遊技盤３０には、前記案内レール３１で囲まれた遊技領域３０ａの略中央の大部分が開口する第１装着口３２ａに、前後に開口する第１窓口(可視部)４０ａが形成された枠状装飾体４０が取り付けられ、該枠状装飾体４０の第１窓口４０ａを介して図柄表示装置１９の表示面が遊技盤３０の前面側に臨むよう構成されている。そして、前記第１装着口３２ａ(枠状装飾体４０)の下方に開設された第２装着口３２ｂに、遊技領域３０ａ(第１球流下経路)を流下するパチンコ球が入賞可能な始動入賞口６６,６７を有する始動入賞装置６５および特別入賞装置７０が取り付けられ、該第２装着口３２ｂ(始動入賞装置６５)の左側方に開設された第３装着口３２ｃに、遊技領域３０ａを流下するパチンコ球が入賞可能な普通入賞口７９,８１,８３を有する入賞口形成部材７５が取り付けられている。ここで、図１１に示すように、前記中枠１２の遊技盤保持部２４に遊技盤３０を取り付けた状態で、前記球タンク２６の一部が第１装着口３２ａの開口内側に露出するよう形成されており、前記枠状装飾体４０の上部位置と球タンク２６とが前後の関係で重なるよう構成されている。なお、前記装着口の形成数は、遊技盤３０に対する遊技盤設置部品の配設数や配設位置等に応じて適宜決定される。
【００２３】
また、図３、図６に示すように、前記遊技盤３０には、前記遊技領域３０ａ内に多数の遊技釘３５が設けられると共に、前記枠状装飾体４０の左側方に、遊技領域３０ａを流下するパチンコ球の接触に伴って回転する回転案内部材３４(回転体)が回転自在に支持されており、遊技釘３５との接触によりパチンコ球の流下方向が不規則に変化するよう構成されている。前記回転案内部材３４は、所謂「風車」とも称される部材であって、前記回転案内部材３４の回転に伴ってパチンコ球を弾くように左右方向へ放出する部材である。また、前記遊技盤３０には、図６に示すように、前記始動入賞装置６５の第１始動入賞口６６(後述)と前記回転案内部材３４との間に、該第１始動入賞口６６へ向けて下方傾斜する直線状に連続して前記遊技釘３５が設けられると共に、該第１始動入賞口６６へ向けて直線状に下方傾斜する遊技釘群の下方位置には、前記第２始動入賞口６７へ向けて下方傾斜する直線状に連続して遊技釘３５が設けられている。なお、以下の説明では、前記第１始動入賞口６６へ向けて下方傾斜する直線状に連続した遊技釘群を上側案内連釘３６と指称し、前記第２始動入賞口６７へ向けて下方傾斜する直線状に連続した遊技釘群を下側案内連釘３７と指称するものとする。
【００２４】
すなわち、前記上側案内連釘３６は、前記遊技領域３０ａを流下するパチンコ球を第１始動入賞口６６へ案内する案内部として機能し、前記下側案内連釘３７は、遊技領域３０ａを流下するパチンコ球を第２始動入賞口６７へ案内する案内部として機能している。なお、前記上側案内連釘３６および下側案内連釘３７を構成する遊技釘３５は、適宜位置でパチンコ球が通過可能な隙間３６ａ,３７ａが空くよう設けられており、該上下の案内連釘３６,３７上を移動するパチンコ球が特別入賞装置７０やアウト口３３側へ流下し得るようになっている。
【００２５】
(枠状装飾体４０について)
前記枠状装飾体４０は、図３、図７に示すように、前記第１装着口３２ａに沿って延在すると共に第１窓口４０ａおよび第２窓口４０ｂが形成される環状の基体４１と、前記遊技領域３０ａ内に球通入口４９ａが開口するよう基体４１の左側部に設けられ、該遊技領域３０ａを流下するパチンコ球を第１窓口４０ａの開口内側に誘導する球誘導部４９と、該基体４１の下部(開口下縁部)に設けられて球誘導部４９の球通出口４９ｂに連通し、該球誘導部４９を通過したパチンコ球が左右方向に転動可能なステージ５０とを備え、当該基体４１が遊技盤３０に取り付けられている。ここで、前記第１窓口４０ａは、前記枠状装飾体４０の基体４１を前記第１装着口３２ａに配設した際に、前記図柄表示装置１９が遊技盤３０の前面に露出する大型開口部であり、前記第２窓口４０ｂは、前記設置部材９０に配設される可動体１５０および第２表示器１５５(何れも後述)が臨む小型開口部であって、第１窓口４０ａの右下方位置に設けられており、該第１窓口４０ａと第２窓口４０ｂとが仕切り板４１ｃにより区切られている。
【００２６】
前記基体４１は、図７に示すように、前記第１装着口３２ａに挿入される環状の枠本体の前端部に設けられて外方へ延出し、前記遊技盤３０の前面に当接する薄板状の固定板４１ａと、該固定板４１ａの前端部に取り付けられ、前記遊技盤３０の前面に突出する庇状部４１ｂとを有し、遊技盤３０に対して固定板４１ａが前側からネジ止めされるようになっている。なお、前記庇状部４１ｂは、前記枠状装飾体４０(第１窓口４０ａ)の左側縁の中間位置から上縁および右下縁に亘って連続して延在して第１窓口４０ａを囲繞すると共に、前記第２窓口４０ｂを囲繞するよう設けられており、第１窓口４０ａ(図柄表示装置１９の前面)および第２窓口４０ｂ(可動体１５０および第２表示器１５５の前側)を横切ってパチンコ球が移動するのを規制している。
【００２７】
また、前記枠状装飾体４０には、図３、図７に示すように、前記第１窓口４０ａの開口上部位置に、パチンコ機１０のモチーフに合わせた装飾形態に形成された発光装飾部４２が設けられている。前記発光装飾部４２は、前記第１窓口４０ａの開口内側に位置する光透過性の光透過カバー４３と、該光透過カバー４３の裏側に設けられて、前方へ光を照射するＬＥＤ４４ａを実装した第１ＬＥＤ基板(電気部品)４４とを有しており、該第１ＬＥＤ基板４４のＬＥＤ４４ａを発光することで光透過カバー４３が明輝されて、枠状装飾体４０の上部位置を発光装飾するようになっている。すなわち、図１１に示すように、前記発光装飾部４２の第１ＬＥＤ基板４４は、前記第１装着口３２ａの開口内側に露出した球タンク２６と前後の関係で重なるよう構成されており、該第１ＬＥＤ基板４４に接続する配線が、前記設置部材９０に形成された配線挿通凹部１０１(後述)を介して設置部材９０の後方に引き出されるようになっている。
【００２８】
(球通過ゲート４６)
図３、図７に示すように、前記枠状装飾体４０の左側部には、側方に突出する突出片４５が形成されると共に、該突出片４５の前面側に、遊技領域３０ａを流下するパチンコ球が通過可能な球通過ゲート４６が設けられている。この球通過ゲート４６には通過球検出センサ４７(図４参照)が配設されており、該球通過ゲート４６を通過するパチンコ球を通過球検出センサ４７で検出するよう構成されている。前記通過球検出センサ４７は、パチンコ機１０の裏側に配設された制御装置１７０(図４参照)に配線接続されており、該通過球検出センサ４７から前記制御装置１７０への球検出信号の入力に伴って始動口開放抽選が行われると共に、第１表示器１３０の普図表示部１４２での点滅変動が開始されるようになっている(後述)。
【００２９】
(ステージ５０について)
前記ステージ５０は、図３、図６〜図９に示すように、前記枠状装飾体４０における第１窓口４０ａの内周下縁部に、パチンコ球が転動可能な球転動面５１が左右方向に延在するよう形成されて、該球転動面５１の左端部で前記球誘導部４９の球通出口４９ｂが開口するよう構成されている。ここで、前記球転動面５１は、上方に突出した凸形状部分(山状の部分)が１箇所設けられると共に、下方に突出した凹形状部分(谷状の部分)を該凸形状部分の左右両側部の２箇所に備えた起伏形状に形成されており、当該凸形状部分が前記始動入賞装置６５の第１始動入賞口６６の上方に位置し、凹形状部分が第１始動入賞口６６の左右側方に位置するようになっている。また、前記球転動面５１の後端部には、該球転動面５１の全長に亘って上方へ延出する後壁部５３が設けられると共に、該球転動面５１の前端部には、上方へ突出する球移動規制壁５２が形成されており、当該後壁部５３および球移動規制壁５２によりステージ５０上に到来したパチンコ球が球転動面５１を転動するようになっている。そして、前記球転動面５１の両凹形状部分には、前方へ下方傾斜する凹溝部５１ａが形成されると共に、該凹溝部５１ａの形成位置と対応する位置で球移動規制壁５２が切り欠かれており、該球転動面５１上を転動するパチンコ球が凹溝部５１ａから前方(遊技領域３０ａ)へ排出(落下)されるようになっている。すなわち、前記球転動面５１における凹溝部５１ａがパチンコ球を排出する球排出部として機能している。
【００３０】
また、前記枠状装飾体４０には、図６に示すように、前記ステージ５０の後壁部５３における前記始動入賞装置６５の第１始動入賞口６６の鉛直上方位置に、パチンコ球が通過可能な球入口５４ａが形成されると共に、前記基体４１(固定板４１ａ)における始動入賞装置６５の第１始動入賞口６６の上方位置に、パチンコ球が通過可能な球出口５４ｂが形成されて、該球入口５４ａおよび球出口５４ｂを連通接続する球案内路５４が設けられている。すなわち、前記ステージ５０上を転動するパチンコ球は、前記球案内路５４の球入口５４ａに通入して前記球案内路５４を通過することで、前記第１始動入賞口６６へ向けて排出されるよう構成されている。
【００３１】
前記球案内路５４は、図８、図９に示すように、前記後壁部５３に形成された球入口５４ａに上端部が連通し、該球入口５４ａとの連通部から下方へ延在する縦案内通路５５と、該縦案内通路５５の下端部および前記枠状装飾体４０(固定板４１ａ)に形成された球出口５４ｂを連通接続する前方案内通路６０とから構成されている。ここで、前記縦案内通路５５は、該縦案内通路５５の側面を画成し、前記球入口５４ａの左右の開口端部に沿って上下方向に延在する平面形状の第１の左右側壁面５６,５６と、第１の左右側壁面５６,５６の後端部に連接し、縦案内通路５５の後面を画成する後壁面５７と、当該第１の左右側壁面５６,５６の上端部および後壁面５７の上端部に連設し、前記球入口５４ａに対向する湾曲面５８とから画成されている。前記湾曲面５８は、前記球入口５４ａの開口上端部から後方(後壁面５７)へ向かうにつれて一様に円弧状に湾曲する湾曲面状に形成されている。すなわち、前記縦案内通路５５における前記球入口５４ａに接続する接続部(縦案内通路５５の上端部)が円弧状に湾曲するよう形成されており、当該球入口５４ａを介して縦案内通路５５内へ後方移動したパチンコ球を湾曲面５８の湾曲形状に倣って下方へ滑らかに誘導し得るよう構成されている。
【００３２】
また、前記縦案内通路５５の後壁面５７は、図９に示すように、面全体が鉛直面をなすよう形成されると共に、該後壁面５７の上端部が前記湾曲面５８の下端部より前方へ僅かに突出するよう形成されている。すなわち、前記縦案内通路５５の後壁面５７と湾曲面５８との連設部は、該後壁面５７が前方に突出する段差状に形成されて、湾曲面５８の湾曲形状に倣って下方へ誘導されたパチンコ球が後壁面５７と湾曲面５８との段差部５９に接触して前方へ誘導されることで、該縦案内通路５５から前方案内通路６０へ滑らかに移動し得るよう構成されている。ここで、前記段差部５９における湾曲面５８側の端部は、前方へ向けて下方傾斜する傾斜状に形成されており、該段差部５９に接触したパチンコ球を前方へ無理なく誘導し得るようになっている。
【００３３】
前記前方案内通路６０は、図８、図９に示すように、前記縦案内通路５５の第１の左右側壁面５６,５６の下端部に連設する第２の左右側壁面６１,６１と、該第２の左右側壁面６１,６１および縦案内通路５５の後壁面５７の下端部に連設する底面６２とから画成されている。また、前記前方案内通路６０の底面６２には、左右方向に離間する位置に、前後の全長に亘って延在する一対の誘導リブ６２ａ,６２ａが形成されており、前記球入口５４ａに入ったパチンコ球が縦案内通路５５を介して誘導リブ６２ａ,６２ａ上に落下するようになっている。前記一対の誘導リブ６２ａ,６２ａは、前方へ向けて下方傾斜するよう形成され、該一対の誘導リブ６２ａ,６２ａ上に落下したパチンコ球を球出口５４ｂへ誘導するようになっている。ここで、前記一対の誘導リブ６２ａ,６２ａの後端部(縦案内通路５５の下端部に臨む位置)では、傾斜角度が大きく設定されており、縦案内通路５５内を落下したパチンコ球を速やかに前方移動させて、縦案内通路５５と前方案内通路６０との屈曲部分でのパチンコ球の球詰まりを防止するようになっている。
【００３４】
また、前記前方案内通路６０の第２の左右側壁面６１,６１には、図８に示すように、前記誘導リブ６２ａ,６２ａの上端部よりも上方位置に、前後方向へ延在する突条部６１ａ,６１ａが形成されている。ここで、前記突条部６１ａ,６１ａの突出端部間の間隔は、一方の誘導リブ６２ａ,６２ａと突条部６１ａ,６１ａとにパチンコ球が接触した状態において、パチンコ球の重心が一対の誘導リブ６２ａ,６２ａの間に位置する寸法に設定される。すなわち、前記前方案内通路６０をパチンコ球が移動する際に、前記一対の誘導リブ６２ａ,６２ａの一方から離間して突条部６１ａ,６１ａに接触したパチンコ球を、自重により一対の誘導リブ６２ａ,６２ａに接触して誘導される状態に復帰させて、前記球出口５４ｂからパチンコ球が一定方向へ排出されるよう構成してある。これにより、前記球出口５４ｂから排出されるパチンコ球の排出方向が安定し、パチンコ球を前記始動入賞装置６５の第１始動入賞口６６へ高確率で入賞させ得るようになっている。
【００３５】
(始動入賞装置６５について)
図６に示すように、前記始動入賞装置６５は、前記遊技盤３０の遊技領域３０ａを流下するパチンコ球が入賞可能な上方に開口する第１始動入賞口６６と、該第１始動入賞口６６の下方に設けられて、遊技領域３０ａを流下するパチンコ球が入賞可能な第２始動入賞口６７とを備えている。前記第２始動入賞口６７を挟む左右位置には、相互に近接および離間するよう揺動可能な一対の開閉部材６８,６８が設けられており、駆動手段としての第１ソレノイド６５ａ(図４参照)の駆動に伴って一対の開閉部材６８,６８が揺動変位することで、前記第２始動入賞口６７が開閉するよう構成される。ここで、前記第１ソレノイド６５ａは前記制御装置１７０に配線接続されて、所定の開閉条件に従って第１ソレノイド６５ａが制御装置１７０により駆動制御される。
【００３６】
また、前記始動入賞装置６５は、図４に示すように、前記第１始動入賞口６６に入賞したパチンコ球を検出する第１始動入賞球検出センサ６６ａが設けられると共に、前記第２始動入賞口６７に入賞したパチンコ球を検出する第２始動入賞球検出センサ６７ａが設けられている。前記第１始動入賞球検出センサ６６ａおよび第２始動入賞球検出センサ６７ａは、前記制御装置１７０に配線接続されており、第１始動入賞球検出センサ６６ａおよび第２始動入賞球検出センサ６７ａから制御装置１７０への入賞検出信号の入力に伴って所定数の賞球が払い出されると共に、前記制御装置１７０において大当り抽選(後述)が行われて、該大当り抽選の結果に基づいて前記図柄表示装置１９の図柄変動演出が実行されるようになっている。そして、前記図柄表示装置１９での図柄変動演出の結果、該図柄表示装置１９に所定の組み合わせ(例えば同一図柄の３つ揃い等)で演出図柄が停止表示されることで所謂大当りが発生し、大当りの発生に伴って前記特別入賞装置７０が開放して多数の賞球を獲得し得る機会が与えられるよう構成されている。
【００３７】
(特別入賞装置７０について)
前記特別入賞装置７０は、図６に示すように、遊技領域３０ａに開口する特別入賞口７１を開閉自在に閉成する開閉扉７２を備えており、駆動手段としての第２ソレノイド７０ａ(図４参照)の駆動に伴って開閉扉７２が揺動変位することで特別入賞口７１が開閉するようよう構成されている。また、前記特別入賞装置７０は、前記特別入賞口７１に入賞したパチンコ球を検出する特別入賞球検出センサ７１ａが設けられている。前記特別入賞球検出センサ７１ａは、前記制御装置１７０に配線接続されており、該特別入賞球検出センサ７１ａから制御装置１７０への入賞検出信号の入力に伴って所定数の賞球が払い出されるようになっている。なお実施例に係るパチンコ機１０では、前記大当りが発生した場合に、複数回(例えば１５回)のラウンド遊技を繰り返すよう前記第２ソレノイド７０ａが制御装置１７０により駆動制御される。ここで、１回のラウンド遊技は、前記特別入賞口７１を開放してから所定時間(例えば３０秒)が経過するか、特別入賞球検出センサ７１ａが所定数(例えば１０個)のパチンコ球を検出することで開閉扉７２が閉鎖されて終了するようになっている。
【００３８】
(入賞口形成部材７５について)
前記入賞口形成部材７５は、図６、図１２に示すように、前記遊技盤３０の前面に取着されて前記第３装着口３２ｃを覆う薄板状の取着部材７６と、該取着部材７６に設けられて第３装着口３２ｃを介して遊技盤３０後方へ延在する複数(実施例では３つ)の球受け通路７８,８０,８２と、当該取着部材７６の前面左上部に設けられ、前記設置部材９０に配設された後述する第１表示器１３０を覆蓋保護する保護カバー体８４とを備えている。ここで、前記取着部材７６には、前後に開口する嵌合孔部(開口部)７７が前記保護カバー体８４の配設位置に対応して形成されており、前記第１表示器１３０が嵌合孔部７７を介して遊技盤３０の前面に露出するよう構成されている。なお、前記取着部材７６には、前記第３装着口３２ｃに臨む位置に、光を透過する光透過部７６ａが設けられており、該取着部材７６の後方に位置するよう設けられた前記設置部材９０の第２ＬＥＤ基板９７(図１３参照)のＬＥＤ９７ａの光により、前記入賞口形成部材７５が明輝されて遊技盤３０が発光装飾されるようになっている。
【００３９】
また、実施例に係る３つの球受け通路７８,８０,８２は、図６、図１２に示すように、前記取着部材７６に対して前記始動入賞装置６５に近づくにつれて下方に位置する階段状に配置されている。また、前記各球受け通路７８,８０,８２は、前記取着部材７６の前後に亘って延在するよう形成されると共に、上方に開口する樋形状に形成されている。すなわち、前記各球受け通路７８,８０,８２における遊技盤３０の前面から前方へ突出した突出部分が、前記遊技領域３０ａを流下するパチンコ球が入賞可能な普通入賞口７９,８１,８３として機能している。また、前記各球受け通路７８,８０,８２の後端部は、前記設置部材９０に設けられた球排出経路１０５(後述)に連通接続するよう構成されており、各普通入賞口７９,８１,８３に入賞したパチンコ球を対応の球受け通路７８,８０,８２を介して球排出経路１０５に誘導して遊技盤３０の外部に排出するようになっている。
【００４０】
なお、以下の説明では、前記始動入賞装置６５から最も離間した最上段の球受け通路を第１球受け通路７８と指称し、該第１球受け通路７８の右下方に位置する中段の球受け通路を第２球受け通路８０と指称し、該第２球受け通路８０の右下方に位置する下段の球受け通路を第３球受け通路８２と指称するものとする。また、前記第１球受け通路７８、第２球受け通路８０および第３球受け通路８２の夫々に対応する普通入賞口を、第１普通入賞口７９、第２普通入賞口８１および第３普通入賞口８３と夫々指称する。
【００４１】
また、前記保護カバー体８４は、透明な合成樹脂材により後方へ開口する箱状に形成されて、該保護カバー体８４の後方開口端部が前記取着部材７６に当接した状態で固定されている(図１９(a)参照)。すなわち、前記保護カバー体８４の前面部８５は、前記嵌合孔部７７に嵌合する前記第１表示器１３０から前方に所定距離離間するよう構成され、該保護カバー体８４を透視して第１表示器１３０を遊技盤３０の前側から視認し得るよう構成される。また、前記保護カバー体８４は、前記遊技領域３０ａを流下するパチンコ球が該保護カバー体８４の前面部８５の前側を通過不能な高さ寸法で形成されて、前記第１表示器１３０の視認性を妨げないようになっている。ここで、前記保護カバー体８４の前面部８５は、前記遊技盤３０に設けられた遊技釘３５の前端と同一レベルに位置するよう構成されている。
【００４２】
図６に示すように、前記保護カバー体８４の上面部８６は、右方向へ向かうにつれて下方傾斜する傾斜面に形成されている。ここで、前記保護カバー体８４の上面部８６は、前記遊技盤３０に設けられた前記下側案内連釘３７の延長線上に位置するよう構成されており、該保護カバー体８４の上面部８６上に到来したパチンコ球を下側案内連釘３７へ向けて移動させるよう構成されている。すなわち、実施例のパチンコ機１０では、前記保護カバー体８４の上面部８６と下側案内連釘３７(遊技釘３５)とによって、遊技領域３０ａを流下するパチンコ球を前記始動入賞装置６５の第２始動入賞口６７に向けて誘導する誘導路を形成している。
【００４３】
(制御装置１７０について)
ここで、実施例に係るパチンコ機１０の裏側(中枠１２や遊技盤３０の裏側)に配設された前記制御装置１７０には、前記大当りの発生確率(大当り確率)および前記第２始動入賞口６７への入賞確率(開閉条件)を特定する遊技状態が複数種類(実施例では通常状態、第１確変状態、第２確変状態、時短状態の４種類の遊技状態)が設定されると共に、前記図柄表示装置１９で行われる図柄変動演出として複数種類(実施例では３種類)の演出モードが設定されており、該制御装置１７０で選択決定された遊技状態および演出モードに基づいて定まる遊技演出状態で遊技が行われるようになっている。ここで、前記通常状態は、パチンコ機１０において通常行われる遊技の状態であって、大当りの発生確率および前記始動入賞装置６５の第２始動入賞口６７への入賞確率が最も低く設定された遊技状態である。また、前記第１確変状態は、大当りの発生確率および前記始動入賞装置６５の第２始動入賞口６７への入賞確率が通常状態に較べて高く設定された遊技状態であり、第２確変状態は、大当りの発生確率が通常状態に較べて高く設定される一方で、第２始動入賞口６７への入賞確率は通常状態と同等に設定された遊技状態である。時短状態は、大当りの発生確率が通常状態と同等に設定される一方で、始動入賞装置６５の第２始動入賞口６７への入賞確率が通常状態に較べて高く設定された遊技状態である。
【００４４】
また、前記図柄表示装置１９で行われる図柄変動演出の演出モードとしては、前記通常状態の場合に実行可能な通常演出モードと、前記第１確変状態の場合に実行可能な確変演出モードと、前記時短状態の場合に実行可能な時短演出モードと、前記通常状態または第２確変状態の場合に実行可能な潜伏モードとが前記制御装置１７０に設定されている。すなわち、実施例のパチンコ機１０では、前記通常演出モード、確変演出モードおよび時短演出モードの何れかに基づいた図柄変動演出が前記図柄表示装置１９で行われる場合には、図柄変動演出の内容から遊技状態を容易に識別し得る一方で、前記潜伏モードに基づいた図柄変動演出が図柄表示装置１９で行われる場合には、該図柄変動演出の内容から遊技状態が通常状態および第２確変状態の何れになっているかを識別することは不可能とされている。
【００４５】
前記制御装置１７０は、前記第１始動入賞球検出センサ６６ａまたは第２始動入賞球検出センサ６７ａからパチンコ球の検出信号の入力(すなわち第１始動入賞口６６または第２始動入賞口６７への入賞)を契機として所定の大当り抽選を実行するよう設定されると共に、大当り抽選により決定された設定情報に基づいて図柄表示装置１９において図柄変動演出を行わせ、始動入賞装置６５、特別入賞装置７０、可動演出装置１４５、各発光演出装置、第１表示器１３０および第２表示器１５５を作動するよう設定されている。ここで、前記大当り抽選は、各始動入賞球検出センサ６６ａ,６７ａからパチンコ球の検出信号が入力された時点において、制御装置１７０に予め設定された多数種類の乱数値(大当り判定用)の内から１つを取得する乱数抽選が行われ、該取得した乱数値(大当り判定用)に基づいて大当りを発生するか否かを決定する。そして、大当りを発生する旨の決定後には、多数種類の乱数値(大当り図柄用)の内から１つを取得する大当り判定抽選が行われて、該取得した乱数値(大当り図柄用)に基づいて大当り種別(大当り後の遊技状態)が通常状態、第１確変状態、第２確変状態、時短状態の何れかに決定されると共に、決定された大当り種別に応じて大当り後の演出モードが決定される。また、大当りを発生しない旨の決定後や大当り種別の決定後に、多数種類の乱数値(演出図柄決定用)の内から１つを取得する図柄決定抽選が行なわれて、該取得した乱数値(演出図柄決定用)に基づいて図柄変動後に図柄表示装置１９で停止表示される演出図柄が決定される。このように、前記設定情報には、大当りを発生するか否か(特別入賞装置７０を開放するか否か)を決定する情報や、該大当りを発生するか否かを決定した後の大当り種別の情報、演出モードの情報、演出図柄の情報等が含まれる。
【００４６】
また、前記制御装置１７０は、前記通過球検出センサ４７からのパチンコ球の検出信号の入力(すなわち球通過ゲート４６へのパチンコ球の通過)を契機として前記第２始動入賞装置６５における第２始動入賞口６７を開放するか否かの始動口開放抽選が行われ、該始動口開放抽選の結果が当選の場合に、第２始動入賞口６７を開放するよう第２始動入賞装置６５が駆動制御されるようになっている。前記始動口開放抽選は、前記通過球検出センサ４７からパチンコ球の検出信号が入力された時点において、制御装置１７０に予め設定された多数種類の乱数値(第２始動入賞口６７の開閉条件用)の内から１つを取得する乱数抽選が行われ、該乱数値毎に定められた当選・非当選に基づいて決定することで実行される。そして、前記始動口開放抽選の結果が当選であることを必須条件として、前記制御装置１７０に設定された所定の開放条件および閉鎖条件が成立することで、該第２始動入賞口６７が開閉するようになっている。また、前記制御装置１７０は、前記通過球検出センサ４７からのパチンコ球の検出信号の入力(すなわち球通過ゲート４６へのパチンコ球の通過)を契機として、前記第１表示器１３０に設けられる普図表示部１４２(後述)において点滅変動が行われるよう設定されている。
【００４７】
ここで、実施例のパチンコ機１０では、前記第２始動入賞装置６５の第２始動入賞口６７を開放する開放条件および該第２始動入賞口６７を閉鎖する閉鎖条件は、遊技状態に応じて設定されている。具体的には、実施例では、遊技状態が前記第１確変状態および時短状態の場合には、遊技状態が通常状態および第２確変状態の場合に較べて、前記始動口開放抽選の結果が確定するまでの確定時間が短くなるよう設定されると共に、第２始動入賞口６７の１回の開放毎の開放時間を長く設定することで、第１確変状態および時短状態における第２始動入賞口６７への入賞確率を高くしている。例えば、遊技状態が通常状態および第２確変状態の場合には、始動口開放抽選の結果が確定するまでの時間が略３０秒で、かつ第２始動入賞口６７の開放時間が１回の開放当たり略０．１秒に設定されるのに対し、遊技状態が第１確変状態および時短状態の場合には、始動口開放抽選の結果が確定するまでの時間が略２秒で、かつ第２始動入賞口６７の開放時間が１回当たり略２秒に設定されている。
【００４８】
また、前記図柄表示装置１９において図柄変動演出が行われている状態で前記第１始動入賞口６６へのパチンコ球の入賞があった場合には、第１始動入賞球検出センサ６６ａからの検出信号の入力に伴って行われる大当り抽選で取得された乱数値(大当り判定用)を、第１図柄変動保留値として前記制御装置１７０に設けられた記憶手段１７２に記憶して、図柄変動の開始を保留するよう設定されている。同じように、前記図柄表示装置１９において図柄変動演出が行われている状態で前記第２始動入賞口６７へのパチンコ球の入賞があった場合には、第２始動入賞球検出センサ６７ａからの検出信号の入力に伴って行われる大当り抽選で取得された乱数値(大当り判定用)を、第２図柄変動保留値として前記記憶手段１７２に記憶して、図柄変動の開始を保留するよう設定されている。そして、図柄変動演出の終了後に、前記第１図柄変動保留値または第２図柄変動保留値に基づいて決定される設定情報により遊技を行うよう構成されている。なお、前記記憶手段１７２に第１図柄変動保留値および第２図柄変動保留値の夫々が記憶されている場合には、第２図柄変動保留値が優先して消化するよう設定してもよく、また第１および第２図柄変動保留値を記憶手段１７２が記憶した順で消化するよう設定にしてもよい。
【００４９】
また同様に、前記普図表示部１４２において点滅変動が行われている状態で前記球通過ゲート４６をパチンコ球が通過した場合には、通過球検出センサ４７からの検出信号の入力に伴って行われる始動口開放抽選で取得された乱数値(第２始動入賞口６７の開閉条件用)を、普図変動保留値として前記記憶手段に記憶して、普図表示部１４２での点滅変動の開始を保留するよう設定されている。そして、普図表示部１４２での点滅変動の終了後に、普図変動保留値に基づいて決定される当選・非当選の結果により普図表示部１４２での点滅変動を行うよう構成されている。ここで、前記制御装置１７０の記憶手段に記憶し得る第１図柄変動保留値の数(第１図柄変動保留数)、第２図柄変動保留値の数(第２図柄変動保留数)および普図変動保留値の数(普図変動保留数)は、何れも最大で４個に設定してある。
【００５０】
(設置部材９０について)
次に、前記設置部材９０に関して説明する。図１３に示すように、前記設置部材９０は、前記遊技盤３０に対向する略矩形状の背面板９１と、該背面板９１の外周縁部から前方に突出する上下左右の画壁部９２ａ〜９２ｄとから前方に開口する箱状に形成されて、該画壁部９２ａ〜９２ｄの開口前端部を遊技盤３０の裏面に当接させた状態で、設置部材９０が遊技盤３０にネジ固定される。そして、前記設置部材９０において前記遊技盤３０との間に画成される空間に、可動演出装置１４５や各種装飾部材等が設置されて、設置部材９０を基材とする単一のユニットとして扱い得るようになっている。また、前記設置部材９０の背面板９１には、前記枠状装飾体４０の第１窓口４０ａと前後に整列する位置に、略矩形状の表示開口部９１ａが前後に開口するよう開設されると共に、該背面板９１の裏側に前記図柄表示装置１９が着脱自在に取り付けられて、該表示開口部９１ａを介して図柄表示装置１９の表示部が遊技盤３０の前側に臨むようになっている。そして、前記背面板９１における表示開口部９１ａの下方位置に、前方へ開口する収容凹部９３が形成されて、該収容凹部９３内に前記始動入賞装置６５の装置本体が収容されるようになっている。また、図１１に示すように、前記遊技盤３０に設置部材９０を配設した状態において、該遊技盤３０に開設された前記第１装着口３２ａの一部分が前記設置部材９０における前記球タンク２６の底面２６ａに対向する上画壁部９２ａよりも上方側で開口するよう構成されている。
【００５１】
(配線挿通凹部１０１について)
前記上画壁部９２ａの前端部には、図１１、図１４、図１５に示すように、前方および上下に開口する切欠部１００が形成されると共に、該切欠部１００の後端部に、前後および上方に開口する配線挿通凹部１０１が前後方向に直線的に延在するよう形成されており、前記枠状装飾体４０に配設された前記第１ＬＥＤ基板４４に接続する配線Ｈ１を、当該配線挿通凹部１０１を介して設置部材９０の後方へ導出するよう構成されている。ここで、前記第１ＬＥＤ基板４４には、前記切欠部１００の前方上側に、配線Ｈ１の接続口を下方(切欠部１００側)へ向けた姿勢で接続コネクタ４４ｂが配設されており、前記配線挿通凹部１０１に挿通された配線Ｈ１が切欠部１００を介して接続コネクタ４４ｂに接続されたることで、配線Ｈ１に係る負荷を軽減して断線等の発生を防止するようになっている。
【００５２】
前記配線挿通凹部１０１は、図１１、図１３に示すように、該配線挿通凹部１０１の側面を画成する左右の内側面(対向側面)１０１ａ,１０１ｂの上端部(開口上端部)に、対向する内側面側に延出する左右の配線押さえ片１０２ａ,１０２ｂが夫々形成されている。ここで、前記左右の配線押さえ片１０２ａ,１０２ｂは、左右方向に相互に離間するよう構成されて、該左右の配線押さえ片１０２ａ,１０２ｂの間の隙間１０３を介して前記配線挿通凹部１０１が上下に開口するようになっている。すなわち、前記左右の配線押さえ片１０２ａ,１０２ｂの突出端部間の隙間１０３を介して、前記上画壁部９２ａの上方側から配線Ｈ１を配線挿通凹部１０１内に挿入することで、該配線挿通凹部１０１を前後に貫通するよう配線Ｈ１が挿通される。また、前記左右の配線押さえ片１０２ａ,１０２ｂの夫々は、図１４に示すように、対応する内側面１０１ａ,１０１ｂとの接続端部から突出端部に向かうにつれて下方傾斜するよう形成されており、前記配線挿通凹部１０１内に一旦挿通された配線Ｈ１が左右の配線押さえ片１０２ａ,１０２ｂ間の隙間１０３から抜け出るのを防止している。
【００５３】
更に、前記左内側面１０１ａからの前記左配線押さえ片１０２ａの突出長さは、前記右内側面１０１ｂからの前記右配線押さえ片１０２ｂの突出長さよりも長く設定されている(図１４、図１５参照)。これにより、前記配線挿通凹部１０１内に配線Ｈ１を挿入する際に、前記左配線押さえ片１０２ａの弾性変形を容易にしている。また、図１５に示すように、前記左右の配線押さえ片１０２ａ,１０２ｂは、該左右の配線押さえ片１０２ａ,１０２ｂの前端部から後端部に向かうにつれて離間寸法が拡大するよう設けられている。すなわち、前記隙間１０３の前端部側開口寸法Ｌ１よりも後端側開口寸法Ｌ２の方が大きくなるよう構成されて、該隙間１０３の後端部側からの配線Ｈ１の差し込みを容易にしている。
【００５４】
また、前記左右の配線押さえ片１０２ａ,１０２ｂの夫々は、図１１に示すように、前端部から後端部に向かうにつれて厚み寸法が薄くなるよう形成されている(図１１に左配線押さえ片１０２ａのみ図示)。更に前記配線挿通凹部１０１の底面１０１ｃは、前端部から後端部に向けて下方傾斜するよう形成されて、配線挿通凹部１０１の前端部側での配線Ｈ１の上下移動を制限している。このように、実施例のパチンコ機１０では、前記配線挿通凹部１０１の後方側からの配線Ｈ１の挿入を容易になし得るよう構成されると共に、配線挿通凹部１０１内に挿通された配線Ｈ１を、当該配線挿通凹部１０１の前端部側で保持することで、配線Ｈ１の安定性を高めている。
【００５５】
前記設置部材９０には、図１６〜図１８に示すように、前記収容凹部９３の左側方に、前記第１〜第３普通入賞口７９,８１,８３に入賞したパチンコ球を排出案内する球排出経路１０５が設けられている。ここで、実施例の球排出経路１０５(後述する共通経路部１０７、第１分岐経路部１１０および第２分岐経路部１１５)は、１個のパチンコ球が通過可能な通路幅で前方へ開口する樋状に前記設置部材９０と一体的に形成されている。そして、前記設置部材９０における前記球排出経路１０５の前側には、前方へ光を照射するＬＥＤ９７ａを備えた発光装置９５が配設されており、球排出経路１０５の前方開口を発光装置９５で塞ぐことで、パチンコ球が一列で移動可能な球通路を画成している。ここで、前記発光装置９５は、前記球排出経路１０５の前方開口を塞ぐ遮蔽板９６と、該遮蔽板９６の前面側に配設され、前方へ光を照射するＬＥＤ９７ａを備えた第２ＬＥＤ基板９７と、該ＬＥＤ基板９７の前面を覆蓋保護する基板カバー９８とから構成されており、前記遊技盤３０に開設された第３装着口３２ｃに第２ＬＥＤ基板９７が臨んで、前記入賞口形成部材７５に後方から光を照射して遊技盤３０(入賞口形成部材７５)を発光装飾するようになっている。なお、前記遮蔽板９６には、前記第２球受け通路８０の後端部および第３球受け通路８２の後端部に対応する位置に、前後に開口する連通孔９６ａが夫々形成されて、該連通孔９６ａを介して第２および第３球受け通路８０,８２が球排出経路１０５(第２分岐経路部１１５)に連通するようになっている。なお、前記第１球受け通路７８の後端部は、前記遮蔽板９６の上方に位置している。
【００５６】
(球排出経路１０５について)
前記球排出経路１０５は、図１６、図１７に示すように、前記設置部材９０の下画壁部９２ｂに上下に開口するよう形成された球排出口１０６と、該球排出口１０６に接続するよう形成されて上方へ延在する共通経路部１０７と、該共通経路部１０７の上端部に接続するよう形成された第１分岐経路部(第１経路部)１１０および第２分岐経路部(第２経路部)１１５とからなり、該第１分岐経路部１１０に前記第１球受け通路７８が連通接続すると共に、該第２分岐経路部１１５に前記第２球受け通路８０および第３球受け通路８２の夫々が連通接続するよう構成されている。すなわち、前記第１普通入賞口７９に入賞したパチンコ球が、前記第１分岐経路部１１０および共通経路部１０７を介して球排出口１０６へ排出案内され、前記第２普通入賞口８１および第３普通入賞口８３に入賞したパチンコ球が、前記第２分岐経路部１１５および共通経路部１０７を介して球排出口１０６へ案内されるようになっている。なお、前記球排出口１０６が前記中枠１２に設けられた球回収部(図示せず)に接続するよう構成されて、該球排出口１０６から排出されたパチンコ球が球回収部を介してパチンコ機１０の外部(遊技店側の球循環設備)へ回収するようになっている。
【００５７】
また、前記共通経路部１０７には、図１６、図１７に示すように、前記第１分岐経路部１１０および第２分岐経路部１１５との接続部位より下方位置に、該共通経路部１０７を通過するパチンコ球を検出する入賞球検出センサ(第３球検出手段)１０９を着脱可能なセンサ取付部(第３取付部)１０８が設けられている。すなわち、前記共通経路部１０７のセンサ取付部１０８に取り付けられた入賞球検出センサ１０９がパチンコ球を検出することで、前記第１普通入賞口７９、第２普通入賞口８１および第３普通入賞口８３の夫々に入賞したパチンコ球を検出し得るようになっている。なお、以下の説明では、前記第１分岐経路部１１０に設けられるセンサ取付部を共通センサ取付部１０８と指称し、該共通センサ取付部１０８に取り付けられる入賞球検出センサを普通入賞球検出センサ１０９と指称する。
【００５８】
前記第１分岐経路部１１０は、図１６、図１７に示すように、前記第１球受け通路７８の後端部(すなわち第１普通入賞口７９との連通位置)から下方へ延在する第１縦通路１１１と、該第１縦通路１１１の下端部および前記共通経路部１０７の上端部の夫々に連通接続し、右方向(すなわち第１普通入賞口７９に対する第２普通入賞口８１の配置方向)へ下方傾斜するよう延在する第１傾斜通路１１２とから構成されている。すなわち、前記第１普通入賞口７９に入賞したパチンコ球は、前記第１分岐経路部１１０の第１縦通路１１１および第１傾斜通路１１２と前記共通経路部１０７とを経由して、前記球排出口１０６から排出されるようになっている。
【００５９】
また、図１６、図１７に示すように、前記第１分岐経路部１１０には、前記第１縦通路１１１における前記第１球受け通路７８の後端部との接続部位の下方位置(すなわち第１縦通路１１１の経路途中)に、該第１縦通路１１１(第１分岐経路部１１０)を通過するパチンコ球を検出する入賞球検出センサ(第１球検出手段)１１４を着脱可能なセンサ取付部(第１取付部)１１３が設けられている。すなわち、前記第１縦通路１１１のセンサ取付部１１３に取り付けられた入賞球検出センサ１１４がパチンコ球を検出することで、前記第１普通入賞口７９に入賞したパチンコ球を検出し得るようになっている。なお、以下の説明では、前記第１分岐経路部１１０に設けられるセンサ取付部を第１検査用センサ取付部１１３と指称し、該第１検査用センサ取付部１１３に取り付けられる入賞球検出センサを第１検査用球検出センサ１１３と指称する。
【００６０】
前記第２分岐経路部１１５は、図１６、図１７に示すように、前記第２球受け通路８０の後端部(すなわち第２普通入賞口８１との連通位置)から右方向(すなわち第２普通入賞口８１との連通位置を基点に第１普通入賞口７９から離間する方向)へ下方傾斜するよう延在する第２傾斜通路１１６と、該第２傾斜通路１１６の傾斜下端部に連通接続し、下方へ延在する第２縦通路１１７と、該第２縦通路１１７の下端部および前記共通経路部１０７の上端部の夫々に連通接続し、左方向へ下方傾斜するよう延在する第３傾斜通路１１８とから構成されている。すなわち、前記第２普通入賞口８１に入賞したパチンコ球は、前記第２分岐経路部１１５の第２傾斜通路１１６、第２縦通路１１７および第３傾斜通路１１８と前記共通経路部１０７を経由して、前記球排出口１０６から排出されるようになっている。
【００６１】
ここで、前記第３傾斜通路１１８には、前記第３球受け通路８２の後端部が臨むよう構成されており、前記第３普通入賞口８３に入賞したパチンコ球は、前記第２分岐経路部１１５の第３傾斜通路１１８と前記共通経路部１０７とを経由して、前記球排出口１０６から排出されるようになっている。すなわち、前記第２分岐経路部１１５の第２縦通路１１７は、前記第３普通入賞口８３の配置位置よりも右側に位置するよう形成されて、該第２分岐経路部１１５における前記第２傾斜通路１１６と第２縦通路１１７との屈曲部分が、前記第１分岐経路部１１０の第１縦通路１１１から離間するよう構成されている。
【００６２】
また、図１６、図１７に示すように、前記第２分岐経路部１１５には、前記第２傾斜通路１１６における傾斜下端部(すなわち第２傾斜通路１１６の経路途中)に、該第２傾斜通路１１６(第２分岐経路部１１５)を通過するパチンコ球を検出する入賞球検出センサ(第２球検出手段)１２０を着脱可能なセンサ取付部(第２取付部)１１９が設けられている。すなわち、前記第２傾斜通路１１６のセンサ取付部１１９に取り付けられた入賞球検出センサ１２０がパチンコ球を検出することで、前記第２普通入賞口８１に入賞したパチンコ球を検出し得るようになっている。なお、以下の説明では、前記第２分岐経路部１１５に設けられるセンサ取付部を第２検査用センサ取付部１１９と指称し、該第２検査用センサ取付部１１９に取り付けられる入賞球検出センサを第２検査用球検出センサ１２０と指称する。すなわち、前記第２検査用球検出センサ１２０は、前記第２傾斜通路１１６において前記第１分岐経路部１１０の第１縦通路１１１と第２傾斜通路１１６との屈曲部分からの直線距離ができる限り離間する位置に取り付けられて、該第１分岐経路部１１０の第１縦通路１１１を落下したパチンコ球が第１傾斜通路１１２との屈曲部位に衝突して振動が発生した際に、当該振動が第２検査用センサまで伝わり難くしている。
【００６３】
ここで、前記第２分岐経路部１１５(第２傾斜通路１１６)における前記第２球受け通路８０との接続部が前記第１分岐経路部１１０の第１傾斜通路１１２の上方に位置するよう構成されて、該第１傾斜通路１１２と第２傾斜通路１１６とが上下の関係で隣接するよう形成されると共に、両傾斜通路１１２,１１６が平行に延在するよう構成されている。また、前記第１傾斜通路１１２の上面を画成する上側通路壁１１２ａと、前記第２傾斜通路１１６の下面を画成する下側通路壁１１６ａとは、上下に離間した独立の壁部により形成されており、該第１傾斜通路１１２の上側通路壁１１２ａと、第２傾斜通路１１６の下側通路壁１１６ａとの間に緩衝空間１２１(空間部)を形成するよう構成されている。すなわち、前記第１縦通路１１１と第１傾斜通路１１２の屈曲部位に衝突して跳ね上がったパチンコ球が第１傾斜通路１１２の上側通路壁１１２ａに接触して振動が発生した際に、当該振動が第２検査用センサまで伝わるのを防止している。
【００６４】
(第１表示器１３０について)
また、前記設置部材９０には、図１３、図１６に示すように、前記球排出経路１０５の左側方に、大当り抽選によって決定された遊技状態を表示する第１表示器１３０が配設されており、前記入賞口形成部材７５に形成された嵌合孔部７７を介して第１表示器１３０が遊技盤３０の前面に露出するよう構成されている。前記第１表示器１３０は、前記設置部材９０に固定されると共に、前後に貫通する複数の第１光透過孔１３３が形成された第１外装部材１３１と、該第１外装部材１３１に後方から取り付けられ、第１光透過孔１３３の後方に整列する位置にＬＥＤ１３５,１３６,１３７,１３８を実装した第１遊技状態表示用ＬＥＤ基板１３４とから構成されて、第１外装部材１３１に形成された各第１光透過孔１３３が前記嵌合孔部７７に臨んで前側から視認し得るようになっている。また、前記設置部材９０の背面板９１には、前記第１遊技状態表示用ＬＥＤ基板１３４に接続する配線Ｈ２を挿通する配線孔部９４ａが形成されており、該配線孔部９４ａを介して設置部材９０の裏側に引き出された配線Ｈ２が、当該設置部材９０の裏側に設けた中継接続用の基板(図示せず)に配線接続されている。この中継接続用の基板は、前記制御装置１７０に対して配線接続されて、前記第１遊技状態表示用ＬＥＤ基板１３４のＬＥＤ１３５,１３６,１３７,１３８を制御装置１７０からの制御信号に基づいて個別に点灯制御し得るようになっている。
【００６５】
前記第１外装部材１３１は、後方に開放する箱状に形成されて、該第１外装部材１３１の左右側部に後方へ突出するよう形成された第１固定片１３１ａを前記設置部材９０の背面板９１に形成された第１固定部９１ｂにネジ止めすることで第１表示器１３０が固定される。すなわち、前記設置部材９０に第１表示器１３０(第１外装部材１３１)を固定した状態では、該設置部材９０の前方開口より前側に第１表示器１３０が位置して、前記遊技盤３０の第３装着口３２ｃ内に第１表示器１３０が臨むよう構成されている。ここで、前記第１遊技状態表示用ＬＥＤ基板１３４は、前記第１外装部材１３１の後方開口形状に略整合する形状に形成されており、該第１遊技状態表示用ＬＥＤ基板１３４を第１外装部材１３１にネジ止めすることで、当該第１外装部材１３１の後方開口が塞がれて、外部の光が第１表示器１３０の内部に入らないようになっている。
【００６６】
また、前記第１外装部材１３１には、図１６に示すように、前記入賞口形成部材７５の嵌合孔部７７に対応する位置に、前方へ突出した前面突出部１３２が形成されており、前記遊技盤３０の裏側に設置部材９０を配設した際に、該入賞口形成部材７５の嵌合孔部７７に該前面突出部１３２が嵌合するようになっている(図１９(a)参照)。ここで、前記第１表示器１３０の前面(前面突出部１３２の前面)は、前記遊技盤３０の前面と略同一レベルに位置するよう構成されており、前記入賞口形成部材７５に設けられた前記保護カバー体８４との間に空間が画成されている。すなわち、前記第１表示器１３０は、前記保護カバー体８４より奥まった位置に配置されている。
【００６７】
そして、図１６に示すように、前記第１表示器１３０の前記前面突出部１３２に、前記第１光透過孔(発光領域)１３３が前後に貫通するよう複数箇所(実施例では１３箇所)に形成されて、該第１光透過孔１３３の後端部に個別に前記第１遊技状態表示用ＬＥＤ基板１３４のＬＥＤ１３５,１３６,１３７,１３８が臨むよう構成されている。すなわち、前記第１遊技状態表示用ＬＥＤ基板１３４のＬＥＤ１３５,１３６,１３７,１３８により各第１光透過孔１３３が独立して点灯・消灯されるようになっている。
【００６８】
ここで、前記第１光透過孔１３３は、図２０(a)に示すように、上下方向に一定間隔離間した位置に、一定間隔毎の横並びのドット状に整然と区画形成されている。また、前記第１光透過孔１３３は、同一の開口形状で形成されると共に、前記第１遊技状態表示用ＬＥＤ基板１３４のＬＥＤ１３５,１３６,１３７,１３８の夫々は、同一の発光色のものが採用されており、一見しただけでは該第１遊技状態表示用ＬＥＤ基板１３４のＬＥＤ１３５,１３６,１３７,１３８の点灯・消灯・点滅のパターンを把握し難くしている。
【００６９】
そして、図２０(a)に示すように、上から２段分の計７個の第１光透過孔１３３および対応するＬＥＤ１３５が、前記始動入賞装置６５の第１始動入賞口６６へのパチンコ球の入賞を契機に前記制御装置１７０で行われる大当り抽選で決定された遊技状態を表示する第１図柄変動結果表示部(結果表示部)１４０として機能するよう構成されている。前記第１図柄変動結果表示部１４０では、前記第１始動入賞球検出センサ６６ａから検出信号が制御装置１７０に入力されて設定情報(図柄判定用の乱数値)が決定されるのに伴って、該第１図柄変動結果表示部１４０を構成する各ＬＥＤ１３５が所定パターンで点灯・消灯する点滅変動が行われる。第１図柄変動結果表示部１４０における点滅変動の具体例は、第１図柄変動結果表示部１４０を構成する上段左側のＬＥＤ１３５から右側に隣接するＬＥＤ１３５の順に点灯位置が移動し、その後下段左側のＬＥＤ１３５から右側に隣接するＬＥＤ１３５の順に点灯位置が移動して、上段左側のＬＥＤ１３５に点灯位置が戻る点灯位置移動が繰り返されることで実施される。そして、前記第１図柄変動結果表示部１４０での点滅変動後に、設定情報(大当り図柄用の乱数値)に応じた点灯パターン(点灯位置)でＬＥＤ１３５が点灯するよう点灯制御されている。すなわち、最終的に第１図柄変動結果表示部１４０で確定的に点灯されたＬＥＤ１３５の点灯パターン(点灯位置)を把握することで、大当りの発生の有無や、図柄変動後の遊技状態を識別し得るようになっている。ここで、前記第１図柄変動結果表示部１４０では、前記図柄表示装置１９での図柄変動演出が行われている間は前記点滅変動が行われ、前記図柄表示装置１９での図柄変動演出の終了後(演出図柄が確定的に停止表示された後)に、設定情報(大当り図柄用の乱数値)に応じた点灯パターンでＬＥＤ１３５が確定的に点灯されるよう前記制御装置１７０により制御され、図柄変動演出が行われている途中で第１図柄変動結果表示部１４０のＬＥＤ１３５が確定的に点灯されて遊技者の興趣を損なわないようになっている。
【００７０】
また、図２０(a)に示すように、前記第１図柄変動結果表示部１４０の下段に位置する２個の第１光透過孔１３３および対応するＬＥＤ１３６は、前記制御装置１７０が記憶する前記第１図柄変動保留数(すなわち遊技状態以外の遊技に関する情報)を表示する第１保留数表示部(別の表示部)１４１として機能するよう構成されている。前記第１保留数表示部１４１は、前記制御装置１７０が記憶する第１図柄変動保留数の増減に応じて、該第１保留数表示部１４１を構成する各ＬＥＤ１３６が速やかに点灯・消灯・点滅するよう点灯制御される。すなわち、第１保留数表示部１４１を構成する２つのＬＥＤ１３６の点灯・消灯・点滅の組み合わせで、第１図柄変動保留数を表示するようになっている。
【００７１】
図２０(a)に示すように、前記第１図柄変動結果表示部１４０の下段に位置する２個の第１光透過孔１３３および対応するＬＥＤ１３７は、前記球通過ゲート４６のパチンコ球の通過を契機に前記制御装置１７０で行われる始動口開放抽選で決定された当選・非当選を表示する普図表示部１４２として機能するよう構成されている。前記普図表示部１４２では、前記通過球検出センサ４７から検出信号が制御装置１７０に入力されるのに伴って、該普図表示部１４２を構成する各ＬＥＤ１３７が所定パターンで点灯・消灯する点滅変動が行われ、当該点滅変動後に決定された当選・非当選に応じた点灯パターンでＬＥＤ１３７が点灯するよう点灯制御されている。すなわち、最終的に普図表示部１４２で点灯するＬＥＤ１３７の点灯パターンを把握することで、始動口開放抽選での当選・非当選の結果を識別し得るようになっている。ここで、前記普図表示部１４２は、遊技状態毎に設定された前記確定時間が経過することで、始動口開放抽選の当選・非当選に応じた点灯パターンでＬＥＤ１３７が点灯されるよう設定されている。
【００７２】
図２０(a)に示すように、前記普図表示部１４２の下段に位置する２個の第１光透過孔１３３および対応するＬＥＤ１３８は、前記制御装置１７０が記憶する前記普図変動保留数(すなわち遊技状態以外の遊技に関する情報)を表示する普図用保留数表示部(別の表示部)１４３として機能するよう構成されている。前記普図用保留数表示部１４３は、前記制御装置１７０が記憶する普図変動留数の増減に応じて、該普図用保留数表示部１４３を構成する各ＬＥＤ１３８が速やかに点灯・消灯・点滅するよう点灯制御される。すなわち、普図用保留数表示部１４３を構成する２つのＬＥＤ１３８の点灯・消灯・点滅の組み合わせで、普図柄変動保留数を表示するようになっている。
【００７３】
(可動演出装置１４５および第２表示器１５５について)
また、前記設置部材９０には、図１３，図２１に示すように、前記球排出経路１０５の右側方に、可動演出装置１４５が配設されると共に、該可動演出装置１４５にパチンコ機１０における各種遊技状態を表示する第２表示器１５５が配設されている。ここで、前記可動演出装置１４５は、前記設置部材９０に配設された演出装置９９の前面に取り付けられている。そして、前記設置部材９０に可動演出装置１４５を配設した状態では、前記可動演出装置１４５の可動体１５０および第２表示器１５５が前記遊技盤３０の第１装着口３２ａの内側に挿入されて、該可動体１５０および第２表示器１５５が遊技盤３０の前面より前側に突出すると共に、可動体１５０および第２表示器１５５が前記枠状装飾体４０に形成された第２窓口４０ｂを介して遊技盤３０の前面に露出するよう構成されている(図３、図１０、図１９(b)等参照)。すなわち、実施例では、前記演出装置９９が前記可動演出装置１４５および第２表示器１５５の設置部として機能して、前記遊技盤３０の前面より可動体１５０および第２表示器１５５が前方に突出することで、該可動体１５０および第２表示器１５５の視認性を高めている。
【００７４】
また、前記可動演出装置１４５は、図２１、図２２に示すように、前後のケース体１４６ａ,１４６ｂの内側に収容空間が画成されて、該収容空間内に第３ソレノイド１４７が収容されている。そして、支軸１４８ａを介して前記前後のケース体１４６ａ,１４６ｂに揺動可能に支持された揺動アーム１４８が前記第３ソレノイド１４７に取り付けられる作動部材１４７ａに連繋接続されると共に、該前後のケース体１４６ａ,１４６ｂに上下移動可能に支持されたスライド板１４９が揺動アーム１４８に連繋接続されて、当該前ケース体１４６ａの前側に配設された可動体１５０が、該前ケース体１４６ａに形成されたガイド孔１４６ｃを介してスライド板１４９に連結固定されている。すなわち、前記制御装置１７０の制御信号に基づいて前記第３ソレノイド１４７を駆動することで可動体１５０が上下移動するようになっている。なお、前記可動体１５０が初期位置(図１０の実線参照)にある状態では、可動体１５０の装飾部分の上側一部分が前記第２窓口４０ｂを介して露出し、可動位置(図１０の２点差線参照)に上昇移動することで、可動体１５０における装飾部分の全体が第２窓口４０ｂを介して露出するようになっている。また、前記可動演出装置１４５の収容空間には、前記第２窓口４０ｂおよび可動体１５０の後方に位置するよう第３ＬＥＤ基板１５１が配設されると共に、該第３ＬＥＤ基板１５１の前方に光透過性の前カバー体１５２が設けられており、前記第２窓口４０ｂを発光装飾し得るよう構成されている。
【００７５】
また、前記第２表示器１５５は、図２１、図２２に示すように、前記可動演出装置１４５(前ケース体１４６ａ)に固定されると共に、前後に貫通する複数の第２光透過孔(発光領域)１５８が形成された第２外装部材１５６と、該第２外装部材１５６に後方から取り付けられ、第２光透過孔１５８の後方に整列する位置に、遊技状態に応じて点灯されるＬＥＤ１６０,１６１,１６２を実装した第２遊技状態表示用ＬＥＤ基板１５９とから構成されて、第２外装部材１５６に形成された各第２光透過孔１５８が前記第２窓口４０ｂの内側に臨んで前側から視認し得るようになっている。また、前記設置部材９０には、前記下画壁部９２ｂの前端部に、前方および上下に開口する配線凹部(配線経路)９４ｂが形成されており、前記可動演出装置１４５(第３ソレノイド１４７)に接続する配線Ｈ３および第２遊技状態表示用ＬＥＤ基板１５９に接続する配線Ｈ４を纏めた上で、該配線凹部９４ｂから設置部材９０の下方へ引き出すよう構成されている。そして、前記配線凹部９４ｂを介して設置部材９０の裏側に引き出された配線Ｈ３,Ｈ４が、当該設置部材９０の裏側に設けた前記中継接続用の基板に配線接続されている。すなわち、前記可動演出装置１４５および第２表示器１５５は、この中継接続用の基板を介して制御装置１７０に対して配線接続されて、制御装置１７０からの制御信号に基づいて可動演出装置１４５の第３ソレノイド１４７が駆動制御されると共に第２遊技状態表示用ＬＥＤ基板１５９のＬＥＤ１６０,１６１,１６２が個別に点灯制御されるようになっている。
【００７６】
前記第２外装部材１５６は、後方に開放する箱状に形成されて、該第２外装部材１５６の左右側部に後方へ突出するよう形成された第２固定片１５６ａを前記可動演出装置１４５の前ケース体１４６ａに形成された第２固定部にネジ止めすることで第２表示器１５５が固定される。すなわち、前記第２表示器１５５(第２外装部材１５６)を固定した状態では、前記前ケース体１４６ａと第２表示器１５５との間に空間が画成されて、該空間に前記可動体１５０の装飾部(実施例ではブタを模した耳部分)の一部が臨むようになっている。すなわち、前記前ケース体１４６ａと第２表示器１５５との間に空間を画成することで、可動体１５０を大型化して動作による演出効果を向上している。また、前記第２表示器１５５は、該第２表示器１５５を前記第２窓口４０ｂに臨ませた状態で、前記枠状装飾体４０の庇状部４１ｂの前端部近傍に位置するよう構成されており(図１９(b)参照)、遊技盤３０の前側からの視認性を高めている。
【００７７】
図２０(b)に示すように、前記第２表示器１５５には、前後に貫通する前記第２光透過孔１５８が複数箇所(実施例では１１箇所)に形成されて、各第２光透過孔１５８の後端部に個別に前記第２遊技状態表示用ＬＥＤ基板１５９のＬＥＤ１６０,１６１,１６２が臨むよう構成されている。すなわち、前記第２遊技状態表示用ＬＥＤ基板１５９のＬＥＤ１６０,１６１,１６２により各第２光透過孔１５８が独立して点灯・消灯されるようになっている。ここで、前記第２光透過孔１５８は、図２２に示すように、上下方向に一定間隔離間した位置に、一定間隔毎の横並びでドット状に整然と区画形成されている。また、前記第２光透過孔１５８は、同一の開口形状で形成されると共に、前記第２遊技状態表示用ＬＥＤ基板１５９のＬＥＤ１６０,１６１,１６２の夫々は、同一の発光色のものが採用されており、一見しただけでは該第２遊技状態表示用ＬＥＤ基板１５９のＬＥＤ１６０,１６１,１６２の点灯・消灯・点滅のパターンを把握し難くしている。
【００７８】
そして、図２０(b)に示すように、上から２段分と３段目の左側に位置する計７個の第２光透過孔１５８および対応するＬＥＤ１６０が、前記始動入賞装置６５の第２始動入賞口６７へのパチンコ球の入賞を契機に前記制御装置１７０で行われる大当り抽選で決定された遊技状態を表示する第２図柄変動結果表示部(結果表示部)１６５として機能するよう構成されている。前記第２図柄変動結果表示部１６５では、前記第２始動入賞球検出センサ６７ａから検出信号が制御装置１７０に入力されて設定情報(大当り図柄用の乱数値)が決定されるのに伴って、該第２図柄変動結果表示部１６５を構成する各ＬＥＤ１６０が所定パターンで点灯・消灯する点滅変動が行われる。第２図柄変動結果表示部１６５における点滅変動の具体例は、第２図柄変動結果表示部１６５を構成する最上段左側のＬＥＤ１６０から右側に隣接するＬＥＤ１６０の順に点灯位置が移動し、その後中段左側のＬＥＤ１６０から右側に隣接するＬＥＤ１６０の順に点灯位置が移動して、更にその後最下段のＬＥＤ１６０に点灯位置が移動し、その後最上段左側のＬＥＤ１６０に点灯位置が戻る点灯位置移動が繰り返されることで実施される。そして、前記第２図柄変動結果表示部１６５での点滅変動後に、設定情報(大当り図柄用の乱数値)に応じた点灯パターン(点灯位置)でＬＥＤ１６０が点灯するよう点灯制御されている。すなわち、最終的に第２図柄変動結果表示部１６５で確定的に点灯されたＬＥＤ１６０の点灯パターン(点灯位置)を把握することで、大当りの発生の有無や、図柄変動後の遊技状態を識別し得るようになっている。ここで、前記第２図柄変動結果表示部１６５では、前記図柄表示装置１９での図柄変動演出が行われている間は前記点滅変動が行われ、前記図柄表示装置１９での図柄変動演出の終了後(演出図柄が確定的に停止表示された後)に、設定情報(大当り図柄用の乱数値)に応じた点灯パターンでＬＥＤ１６０が確定的に点灯されるよう前記制御装置１７０により制御されて、図柄変動演出が行われている途中で第２図柄変動結果表示部１６５のＬＥＤ１６０が確定的に点灯されて遊技者の興趣を損なわないようになっている。
【００７９】
また、図２０(b)に示すように、前記第２図柄変動結果表示部１６５の右下方に位置する２個の第２光透過孔１５８および対応するＬＥＤ１６１は、前記制御装置１７０が記憶する前記第２図柄変動保留数(すなわち遊技状態以外の遊技に関する情報)を表示する第２保留数表示部(別の表示部)１６６として機能するよう構成されている。前記第２保留数表示部１６６は、前記制御装置１７０が記憶する第２図柄変動保留数の増減に応じて、該第２保留数表示部１６６を構成する各ＬＥＤ１６１が速やかに点灯・消灯・点滅するよう点灯制御される。すなわち、第２保留数表示部１６６を構成する２つのＬＥＤ１６１の点灯・消灯・点滅の組み合わせで、第２図柄変動保留数を表示するようになっている。
【００８０】
図２０(b)に示すように、前記第２保留数表示部１６６の下方に位置する２個の第２光透過孔１５８および対応するＬＥＤ１６２は、遊技状態を表示する遊技状態表示部１６７として機能するよう構成されている。前記遊技状態表示部１６７では、遊技状態が前記第１確変状態または第２確変状態となる場合に上側のＬＥＤ１６２が点灯可能で、遊技状態が前記時短状態となる場合に下側のＬＥＤ１６２が点灯するよう点灯制御されている。すなわち、最終的に遊技状態表示部１６７で点灯するＬＥＤ１６２の点灯パターンを把握することで、図柄変動演出後の遊技状態が第１確変状態または第２確変状態となることや、時短状態となることを識別し得るようになっている。なお、前記遊技状態表示部１６７の上側のＬＥＤ１６２が点灯するか否かは、前記第１始動入賞球検出センサ６６ａ第２始動入賞球検出センサ６７ａから検出信号が制御装置１７０に入力されて決定された設定情報(大当り図柄用の乱数値)に基づいて決定される。
【００８１】
(実施例の作用)
次に、前述のように構成された実施例に係るパチンコ機１０の作用につき説明する。
【００８２】
前記中枠１２の前面側に設けられた前記操作ハンドル１８を遊技者が回転操作すると、前記打球発射装置１７から発射されたパチンコ球が前記遊技盤３０に設けた案内レール３１により画成された遊技領域３０ａ内に打ち出されて、遊技釘３５等に接触して流下方向を変更しながら遊技領域３０ａ内を流下する。そして、前記遊技領域３０ａを流下するパチンコ球が前記始動入賞装置６５の第１始動入賞口６６または第２始動入賞口６７に入賞することで、前記図柄表示装置１９での図柄変動演出が開始され、図柄変動演出の結果、図柄表示装置１９に所定の図柄組み合わせで演出図柄が表示されると大当りが発生する。大当りが発生すると、前記遊技盤３０の下方に設けられた特別入賞装置７０が開放されると共に、図柄表示装置１９において大当り演出が行われる。
【００８３】
また、前記遊技盤３０の遊技領域３０ａをパチンコ球が流下する過程で、前記枠状装飾体４０に設けられた球誘導部４９の球通入口４９ａに通入すると、該球誘導部４９を介してステージ５０にパチンコ球が誘導される。前記ステージ５０に誘導されたパチンコ球は、球転動面５１上を左右に転動し、左右の凹溝部５１ａから遊技領域３０ａ内に排出されるか、後壁部５３に形成された球案内路５４を介して遊技領域３０ａ内に排出される。このとき、前記球案内路５４の球出口５４ｂは、前記始動入賞装置６５の第１始動入賞口６６の真上に位置しているから、ステージ５０上に到来したパチンコ球が球案内路５４を通過して遊技領域３０ａに排出されることで、該第１始動入賞口６６に高確率で入賞する。
【００８４】
ここで、前記球案内路５４の縦案内通路５５における球入口５４ａに臨んだ壁面は、球入口５４ａの上端部から該縦案内通路５５の後壁面５７に向けて一様に円弧状に湾曲する湾曲面５８が形成されていることから、該球入口５４ａに通入したパチンコ球を前方案内通路６０へ向けて下方へ滑らかに誘導することができる。また、前記縦案内通路５５における球入口５４ａに臨んだ壁面を一様に円弧状に湾曲する湾曲面５８として形成したことで、前記球案内路５４内にパチンコ球を案内する案内片を突出する必要がなく、該球案内路５４における球入口５４ａの開口寸法をパチンコ球が通過し得る最小寸法に設定することができ、球案内路５４の構成をコンパクトにすることができる。
【００８５】
また、前記湾曲面５８の下端部が鉛直面をなす後壁面５７の上端部に連設することで、該湾曲面５８の湾曲形状により徐々に下方へ向けて移動するよう誘導されたパチンコ球を下方へ滑らかに誘導することができる。また、前記後壁面５７と湾曲面５８との連設部位は、当該湾曲面５８の下端部よりも後壁面５７の上端部が前方に突出する段差状に形成されているから、湾曲面５８に沿って誘導されたパチンコ球を前方案内通路６０でのパチンコ球の移動方向へ送ることができ、球案内路５４に通入したパチンコ球をスムーズに通過させることが可能となる。また、前記湾曲面５８の下端部と後壁面５７の上端部との境界位置に段差部５９を形成することで、該球案内路５４(縦案内通路５５)を通過するパチンコ球に振動を与えることができ、該球案内路５４(縦案内通路５５)で球詰まりが発生するのを効果的に防止できる。
【００８６】
更に、前記前方案内通路６０の底面６２には、左右に離間するよう一対の誘導リブ６２ａ,６２ａが前後の全長に亘って形成されているから、前記縦案内通路５５から前方案内通路６０へ移動したパチンコ球を安定して球出口５４ｂへ誘導することができる。また、前記一対の誘導リブ６２ａ,６２ａの後端部(縦案内通路５５の下端部に臨む位置)では、前方への下方傾斜角度が大きく設定されているから、縦案内通路５５内を下方移動するパチンコ球を速やかに前方移動させることができ、縦案内通路５５と前方案内通路６０との屈曲部分でのパチンコ球の球詰まりは防止される。また、前記前方案内通路６０における第１の左右側壁面６１,６１には、該前方案内通路６０内に突出する突条部６１ａ,６１ａが形成されており、該前方案内通路６０内を通過する過程でパチンコ球が左右に変位した場合に、自重により一対の誘導リブ６２ａ,６２ａに接触して誘導される状態に復帰させて、前記球出口５４ｂからパチンコ球が一定方向へ排出される。すなわち、前記球案内路５４を通過したパチンコ球が第１始動入賞口６６に入賞しないケースが多く発生すると遊技者に不信感を抱かせる要因ともなり得ることから、前記球出口５４ｂから排出されるパチンコ球の排出方向が第１始動入賞口６６を向くよう安定させることで、当該球出口５４ｂから排出されたパチンコ球を始動入賞装置６５の第１始動入賞口６６へ高確率で入賞させることができ、遊技者に不信感を抱かせることなく、遊技の興趣を向上することができる。
【００８７】
ところで、前記遊技領域３０ａを流下するパチンコ球が前記始動入賞装置６５の第１始動入賞口６６に入賞すると、前記図柄表示装置１９での図柄変動演出と併せて前記第１表示器１３０に設けられた第１図柄変動結果表示部１４０において点灯パターン変動が行われ、該始動入賞装置６５の第２始動入賞口６７にパチンコ球が入賞した場合には、同じく図柄表示装置１９での図柄変動演出と併せて前記第２表示器１５５に設けられた第２図柄変動結果表示部１６５において点灯パターン変動が行われる。ここで、前記第１表示器１３０の第１図柄変動結果表示部１４０は、複数のＬＥＤ１３５による表示領域をドット状に区画した構成とすると共に、第１図柄変動結果表示部１４０の第１光透過孔１３３を同一の形状で整然と形成するようにして、該第１図柄変動結果表示部１４０で点灯パターンが確定表示された際に、特定の文字や図形等を形成しないようにしてある。従って、大当り抽選によって決定された遊技状態を前記第１図柄変動結果表示部１４０の点灯パターンによって遊技者に簡単に識別されるのを抑制することができる。すなわち、遊技者に遊技状態を把握され難くしたことで、特に図柄表示装置１９において潜伏モードの図柄変動演出が行われる際に、遊技状態が第２確変状態であるか通常状態であるかは容易に判別できず、該潜伏モードで行われる遊技に対する遊技者の期待感を高めて、遊技の興趣を向上し得るようになる。また、前記第１表示器１３０には、前記第１図柄変動結果表示部１４０とは別に、第１保留数表示部１４１や普図表示部１４２、普図用保留数表示部１４３を同じ形態で形成してあるから、前記第１図柄変動結果表示部１４０での点灯状態が別の表示部１４１,１４２,１４３の点灯状態と相紛れて見分け難くすることができ、当該第１図柄変動結果表示部１４０での点灯パターンによって遊技状態を遊技者に簡単に識別されるのをより効果的に抑制でき、遊技の興趣を持続することができる。
【００８８】
また同様に、前記第２表示器１５５の第２図柄変動結果表示部１６５は、複数のＬＥＤ１６０による表示領域をドット状に区画した構成とすると共に、第２図柄変動結果表示部１６５の第２光透過孔１５８を同一の形状で整然と形成するようにして、該第２図柄変動結果表示部１６５で点灯パターンが確定表示された際に、特定の文字や図形等を形成しないようにしてある。従って、大当り抽選によって決定された遊技状態を前記第２図柄変動結果表示部１６５の点灯パターンによって遊技者に簡単に識別されるのを抑制することができる。すなわち、遊技者に遊技状態を把握し難くしたことで、特に図柄表示装置１９において潜伏モードの図柄変動演出が行われる際に、遊技状態が第２確変状態であるか通常状態であるかは容易に判別できず、該潜伏モードで行われる遊技に対する遊技者の期待感を高めて、遊技の興趣を向上し得るようになる。また、前記第２表示器１５５には、前記第２図柄変動結果表示部１６５とは別に、第２保留数表示部１６６や遊技状態表示部１６７を同じ形態で形成してあるから、前記第２図柄変動結果表示部１６５での点灯状態が別の表示部１６６,１６７の点灯状態と相紛れて見分け難くすることができ、当該第２図柄変動結果表示部１６５での点灯パターンによって遊技状態を遊技者に簡単に識別されるのをより効果的に抑制でき、遊技の興趣を持続することができる。また、前記第１図柄変動結果表示部１４０および第２図柄変動結果表示部１６５を遊技盤３０の左右方向に離間して設けたことで、前記記憶手段１７２が第１および第２図柄変動保留値を記憶した順で消化して第１図柄変動結果表示部１４０および第２図柄変動結果表示部１６５で点灯パターン変動を行う場合には、遊技者の注意が第１図柄変動結果表示部１４０および第２図柄変動結果表示部１６５に分散され、これら図柄変動結果表示部１４０,１６５での点灯パターンが遊技者に簡単に識別されるのをより効果的に抑制できる。
【００８９】
また、前記第１表示器１３０では、前述のように第１図柄変動結果表示部１４０、第１保留数表示部１４１、普図表示部１４２、普図用保留数表示部１４３が１つに纏められており、第２表示器１５５では、前述のように第２図柄変動結果表示部１６５、第２保留数表示部１６６、遊技状態表示部１６７が１つに纏められている。このため、これらの表示部を夫々独立して形成する構成に較べて、これらの表示部の設置スペースを小さくでき、他の遊技部品を設置するスペースを確保することができる。
【００９０】
また、前記第１表示器１３０は、遊技盤３０の左側方に設けられた前記入賞口形成部材７５の嵌合孔部７７に対応して配置して前側から視認可能に構成される一方、前記第２表示器１５５は、遊技盤３０の右側方に位置する第２窓口４０ｂに臨むよう配置して前側から視認可能に構成されている。このように、前記第１表示器１３０および第２表示器１５５を遊技盤３０の左右に離間して配置することで、遊技盤３０に対する他の部品の設置スペースを圧迫するのを抑制し得る。
【００９１】
そして、前記第１表示器１３０の前面を、遊技盤３０の前面と略同一レベルに位置させて奥行きをもたせたことで、該第１表示器１３０の各表示部の視認性が向上し、遊技者が適宜に各表示部を参照しながら遊技を行うことができる。ここで、前記入賞口形成部材７５に設けられた保護カバー体８４により、前記遊技領域３０ａを流下するパチンコ球が第１表示器１３０の前側を横切ることはないから、第１表示器１３０の前面を遊技盤３０の前面と略同一レベルに位置させたとしても、当該第１表示器１３０の視認性が損なわれることはない。また、前記保護カバー体８４は、単に第１表示器１３０を保護するカバーとして機能するだけでなく、該保護カバー体８４の上面部８６が遊技領域３０ａを流下するパチンコ球を第２始動入賞口６７に誘導する誘導路の一部を構成するから、遊技釘３５の使用本数を低減することができる。
【００９２】
更に、前記第１表示器１３０自体は前記設置部材９０に配設されているから、該第１表示器１３０に接続する配線Ｈ２を設置部材９０に設けた中継基板に接続することができる。すなわち、前記設置部材９０を遊技盤３０に取り付ける際に第１表示器１３０から導出する配線Ｈ２が遊技盤３０との間に挟み込まれることはなく、取付の作業性が向上する。しかも、前記第１表示器１３０には、該第１表示器１３０を構成する第１遊技状態表示用ＬＥＤ基板１３４に複数の表示部を構成する各ＬＥＤ１３５,１３６,１３７,１３８を設けてあるから、複数の表示部の配線Ｈ２を纏めて配線孔部９４ａを介して設置部材９０の裏側に引き回すことができ、配線処理を簡略化し得る。
【００９３】
一方で、前記第２窓口４０ｂに内に臨む第２表示器１５５は、前記遊技盤３０の前面より前方へ突出させて第２窓口４０ｂの開口前端部近傍に位置させたことで、前記枠状装飾体４０(庇状部４１ｂや仕切板４１ｃ)によって第２表示器１５５の視認性が損なわれることはない。しかも、前記第２表示器１５５を第２窓口４０ｂの開口前端部近傍に配置したことで、可動演出装置１４５の可動体１５０を第２表示器１５５の後方で動作させることができる。すなわち、第２表示器１５５が第２窓口４０ｂを介して露出するだけでなく、該第２窓口４０ｂに可動体１５０を配置して動作による演出を行い得るようになる。
【００９４】
また、前記第２表示器１５５が配設された前記可動演出装置１４５を設置部材９０に配設するよう構成されているから、設置部材９０を遊技盤３０に取り付ける際に第２表示器１５５矢可動演出装置１４５から導出する配線Ｈ３,Ｈ４が遊技盤３０との間で挟み込まれることはなく、取付の作業性が向上する。しかも、前記設置部材９０の下画壁部９２ｂに配線凹部９４ｂを形成して、遊技盤３０との間に配線挿通部が画成されるよう構成してあるから、第２表示器１５５および可動演出装置１４５に接続する配線Ｈ３,Ｈ４が遊技盤３０との間で挟み込まれるのを確実に防止したもとで設置部材９０の裏側に配線Ｈ３,Ｈ４を引き出すことができ、設置部材９０の裏側に配設した中継基板に対する配線接続作業が容易になる。また、前記第２表示器１５５を可動演出装置１４５に配設することで、該第２表示器１５５および可動演出装置１４５から導出する配線Ｈ３,Ｈ４を容易に纏めることができると共に、設置部材９０に設けた配線凹部９４ｂに纏めて引き回し得るから、配線処理を簡単にできる。
【００９５】
また、実施例では、前記設置部材９０の上画壁部９２ａに、前後および上方に開口する配線挿通凹部１０１を形成して、前記枠状装飾体４０に配設された第１ＬＥＤ基板４４に接続する配線Ｈ１を、該配線挿通凹部１０１を介して設置部材９０の裏側へ挿通するよう構成したから、該配線Ｈ１が球タンク２６との間に噛み込まれるのを防止できる。すなわち、前記枠状装飾体４０に配設される第１ＬＥＤ基板４４に対する配線接続位置に応じて前記設置部材９０に配線挿通凹部１０１を形成することで、当該配線Ｈ１の噛み込みを確実に防止し得るから、枠状装飾体４０に対する第１ＬＥＤ基板４４の配設位置の自由度が向上し、パチンコ機１０のコンセプトに合わせた遊技演出の多様化を実現すことが可能となる。また、前記設置部材９０の上方に臨むよう配設された第１ＬＥＤ基板４４の配線Ｈ１を、設置部材９０の上画壁部９２ａに形成した配線挿通凹部１０１に挿通することで、配線Ｈ１の処理作業性が格段に向上する。
【００９６】
また、前記配線挿通凹部１０１には、開口上端部に形成した配線押さえ片１０２ａ,１０２ｂが形成されているから、該配線挿通凹部１０１に挿通した配線Ｈ１が設置部材９０の上画壁部９２ａより上方へ延出するのを防止することができる。従って、前記配線挿通凹部１０１に挿通した配線Ｈ１が球タンク２６との間に噛み込まれるのを効果的に阻止し得る。更に、前記配線押さえ片１０２ａ,１０２ｂは、対応する対向側面１０１ａ,１０１ｂから突出端部に向かうにつれて下方傾斜するよう形成されているから、配線挿通凹部１０１の内部への配線Ｈ１の挿通作業は容易に行い得る一方で、配線挿通凹部１０１に一旦挿通された配線Ｈ１が当該配線挿通凹部１０１からはみ出すのを効果的に阻止できる。
【００９７】
更に、前記配線押さえ片１０２ａ,１０２ｂの一方の突出長さを長く設定することで、配線挿通凹部１０１の左右の開口幅を広くすることなく配線挿通凹部１０１への配線Ｈ１の挿通作業を容易に行い得る。すなわち、前記配線挿通凹部１０１の左右開口幅を、配線Ｈ１が挿通可能な必要最小限の幅に設定できるから、該配線挿通凹部１０１内での配線移動を抑制して配線Ｈ１を一定位置に保持することができるから、前記配線挿通凹部１０１からの配線Ｈ１のはみ出しを効果的に防止できる。また、前記左右の配線押さえ片１０２ａ,１０２ｂの間の隙間１０３が、前端部から後端部に向かうにつれて拡大するよう設けたことで、該隙間１０３の後端部側から配線Ｈ１を容易に差し込むことが可能となり、配線処理作業の作業性を向上できる。
【００９８】
また、前記第１表示器１３０が臨む嵌合孔部７７が形成された前記入賞口形成部材７５に形成された第１普通入賞口７９、第２普通入賞口８１、第３普通入賞口８３に入賞したパチンコ球は、前記設置部材９０に形成された球排出経路１０５を介して排出される。ここで、実施例の球排出経路１０５では、前記第１普通入賞口７９、第２普通入賞口８１、第３普通入賞口８３の夫々に連通する共通経路部１０７を設けたことで、該共通経路部１０７の共通センサ取付部１０８に、普通入賞球検出センサ１０９を配設することで、全ての普通入賞口７９,８１,８３に入賞したパチンコ球を検出することができる。すなわち、センサの配設個数を削減し得るから、製造コストの低減や、リサイクル性の向上を図り得る。
【００９９】
また、実施例の球排出経路１０５には、前記第１普通入賞口７９に対応した第１分岐経路部１１０の第１縦通路１１１に、第１検査用球検出センサ１１４を配設可能な第１検査用センサ取付部１１３を設けると共に、前記第２普通入賞口８１に対応した第２分岐経路部１１５の第２傾斜通路１１６に、第２検査用球検出センサ１２０を配設可能な第２検査用センサ取付部１１９を設けてある。従って、前記共通センサ取付部１０８に普通入賞球検出センサ１０９を設置した状態で、前記第１検査用センサ取付部１１３および第２け検査用センサ取付部１１９の夫々に対応する第１検査用球検出センサ１１４および第２検査用球検出センサ１２０を取り付けることにより、第１普通入賞口７９、第２普通入賞口８１および第３普通入賞口８３に入賞したパチンコ球を個別に検出することが可能になる。
【０１００】
ここで、前記第２分岐経路部１１５における第２傾斜通路１１６は、前記第２普通入賞口８１との連設位置を基点にして第１普通入賞口７９から離間する方向へ延在するよう形成されているから、前記第１分岐経路部１１０の第１縦通路１１１を落下したパチンコ球が第１傾斜通路１１２との屈曲部で跳ね返ったとしても、該パチンコ球が前記第２検査用球検出センサ１２０で誤検出されることはない。更に、前記第１傾斜通路１１２の上面を形成する上側通路壁１１２ａと第２傾斜通路１１６の底面６２を画成する下側通路壁１１６ａとの間に緩衝空間１２１が存在するよう構成されているから、前記第１縦通路１１１を落下して第１傾斜通路１１２との屈曲部で跳ね返ったパチンコ球が第１傾斜通路１１２の上側通路壁１１２ａに衝突した場合でも、その衝撃が緩衝されて第２検査用球検出センサ１２０まで伝わらないから、当該第２検査用球検出センサ１２０が誤検出するのを確実に防止できる。しかも、前記第２分岐経路部１１５は、前記第２傾斜通路１１６の傾斜下端部に下方へ延在する第２縦通路１１７を備えており、該第２傾斜通路１１６の傾斜下端部に前記第２検査検作用センサ取付部１１９を設けてある。すなわち、前記第１分岐経路部１１０における第１縦通路１１１と第１傾斜通路１１２との屈曲部から第２検査用センサ取付部１１９に取り付けられる第２検査用球検出センサ１２０を最大限離間させたから、当該屈曲部でパチンコ球が跳ね返ったとしても、第２検査用球検出センサ１２０が誤検出するのを防止できる。また、前記第１検査用球検出センサ１１４および第２検査用球検出センサ１２０として、パチンコ球の接触により検出する接触型の安価なセンサを、検査の精度を低下させることなく採用し得る。
【０１０１】
(変更例)
なお、遊技機の構成としては、実施例のものに限らず、種々の変更が可能である。
(１)  実施例では、第１表示器に第１図柄変動結果表示部、第１保留数表示部、普図表示部、普図保留数表示部を設けるようにしたが、これに限られるものではなく、少なくとも第１図柄変動結果表示部を有するものであればよい。また、第１表示器に第２図柄変動結果表示部を形成することも可能である。更に、遊技状態以外の遊技に関する状態を表示する表示部を第１表示器に設けられる構成の場合に、第１保留数表示部、普図表示部、普図用保留数表示部の全てが設けられている必要はなく、何れか１つまたは２つを設けるようにしてもよい。また、遊技状態表示部を第２表示器に設けることも可能である。
(２)  同様に、実施例では第２表示器に第２図柄変動結果表示部、第２保留数表示部、遊技状態表示部を設けたが、少なくとも第２図柄変動結果表示部を備えるものであればよい。また、第２表示器に第１図柄変動結果表示部を形成することも可能である。更に、遊技状態以外の遊技に関する状態を表示する表示部を第２表示器に設けられる構成の場合に、第２保留数表示部、遊技状態表示部の全てが設けられている必要はなく、何れか１つを設けるようにしてもよい。また、普図表示部、普図用保留数表示部を第２表示器に設けることも可能である。また、第１表示器および第２表示器に形成される光透過孔およびＬＥＤの配置位置は、実施例のものに限られるものではなく適宜に変更でき、両表示器における光透過孔およびＬＥＤの配置位置を同じにしてもよい。
(３)  実施例では、前記第１表示器が臨む嵌合孔部(表示用貫通口)を、普通入賞口が形成された入賞口形成部材に形成したが、これに限られるものではなく、独立した部材に表示用貫通口(嵌合孔部)を形成するようにしてもよい。
(４)  実施例では、第１表示器を遊技盤の左側方に配置すると共に、第２表示器を遊技盤の右側方に配置したが、これに限られるものではなく、第１表示器および第２表示器を遊技盤の左右方向や上下方向、或いは斜め方向に離間するよう配置すればよい。
(５)  実施例では、前記枠状装飾体における右下方位置に第２窓口(第２開口部)を設けたが、これに限られるものではなく、枠状装飾体の適宜位置に形成することが可能である。
(６)  実施例では、前記保護カバー体(カバー部)の上面部を、遊技盤に設けられた下側案内連釘(遊技釘)の延長線上に位置するよう構成して、該保護カバー体の上面部および下側案内連釘により遊技球を第２始動入賞口に向けて誘導可能な誘導路を形成するよう構成したが、当該保護カバー体の上面部を、遊技盤に設けられた上側案内連釘の延長線上に位置するよう構成して、該保護カバー体の上面部および上側案内連釘により遊技球を第１始動入賞口に向けて誘導可能な誘導路として構成してもよい。
(７)  実施例では、枠状装飾体に電気部品としてのＬＥＤ基板を配設するよう構成したが、これに限られるものではなく、可動演出装置やその他電気的に作動される部品であれば何れの部材であってもよい。
(８)  実施例では、配線挿通凹部を設置部材の上画壁部(上面)に形成するようにしたが、前後および上方に開口する形態であれば、クランク形状や湾曲形状等任意の形状で配線挿通凹部を形成することができる。
(９)  実施例では、配線挿通凹部の開口上端部の左右側部に、配線挿通凹部の上方開口部側に延出する配線押さえ片を形成したが、何れか一方の側部にのみ配線押さえ片を形成してもよい。
(１０)  また配線押さえ片は、突出端部に向かうにつれて下方傾斜する形態に限らず、例えば水平に形成するようにしてもよく、また配線押さえ片の厚みを前後長の全体に亘って一定にするようにしてもよい。また、対向する配線押さえ片の突出端部を平行に延在するよう形成することもできる。
(１１)  実施例では、入賞口形成部材に３つの普通入賞口を形成したが、少なくとも２つの入賞口(第１の入賞口および第２の入賞口)を備えるものであればよい。また、複数の普通入賞口を単一の入賞口形成部材に形成する必要はなく、各普通入賞口を個別に設けた入賞口形成部材に形成するようにしてもよい。
(１２)  また、実施例では、設置部材に形成した球排出経路を介して普通入賞口に入賞したパチンコ球(遊技球)を排出するよう構成したが、普通入賞口である必要はなく、始動入賞口や特別入賞口のように遊技盤に形成される入賞口に入賞したパチンコ球を排出する球排出経路に適用し得る。
(１３)  実施例の球排出経路では、第１経路部および第２経路部の経路途中に設けた第１および第２取付部に、検査用の第１球検出手段および第２球検出手段を着脱可能に構成した例を示したが、これに限らず、第１および第２取付部に常時球検出手段を取り付けるものであってもよい。
(１４)  また第１経路部および第２経路部の構成は、実施例のものに限られるものではなく、第１経路部は第１の入賞口との連通位置から下方へ延在する縦通路の下端部に、該第１の入賞口に対する第２の入賞口の配置方向へ延在する第１傾斜通路が連通する構成であればよく、また第２経路部は、第２の入賞口との連通位置を基点に第１の入賞口から離間する方向へ延在する第２傾斜通路を有する構成であればよい。
(１５)  実施例のステージでは、球案内通路を縦案内通路と前方案内通路とから構成したが、これに限らず、球案内通路が複数回屈曲する形態としてもよい。
(１６)  また、実施例ではステージに１つの球転動面を備える構成としたが、複数段の球転動面を備えるものであってもよい。
(１７)  実施例では、遊技盤の裏側に設置部材を設けるよう構成したが、該設置部材を本体枠としての中枠に設置する構成も採用できる。
(１８)  実施例では、中枠を上下左右の枠部材から構成したが、これに限らず、合成樹脂材により上下左右の枠部を一体的に形成して前後に開口する遊技盤設置部を画成するようにしてもよい。
(１９)  実施例では、第１始動入賞口および第２始動入賞口を備えた始動入賞装置を用いたが、該第１始動入賞口および第２始動入賞口の夫々が独立した始動入賞装置を構成してもよい。また、第１始動入賞口を開閉式の入賞口とすることもできる。
(２０)  実施例では、遊技盤を合板で形成したが、これに限られるものではなく、遊技盤を合成樹脂材から透明または不透明に形成するようにしてもよい。
(２１)  実施例では、遊技機としてパチンコ機を例示して説明したが、これに限られるものではなく、アレンジボール機やピンボール機、スロットマシン機等の各種遊技機を採用し得る。
【符号の説明】
【０１０２】
１９  図柄表示装置
３０  遊技盤
３０ａ  遊技領域
４０  枠状装飾体
４０ａ  第１窓口(第１開口部)
４０ｂ  第２窓口(第２開口部)
６６  第１始動入賞口(始動入賞口)
６７  第２始動入賞口(始動入賞口)
９０  設置部材
９４ｂ  配線凹部(配線経路)
９９  演出装置(設置部)
１４５  可動演出装置
１５０  可動体
１５５  第２表示器(表示器)
１５８  第２光透過孔(光透過孔)
１６１  ＬＥＤ(発光体)
１６５  第２図柄変動結果表示部(表示部)
１６６  第２保留数表示部(遊技に関する状態を表示する別の表示部)
【図１】
0005411108.tif 000002
【図２】
0005411108.tif 000003
【図３】
0005411108.tif 000004
【図４】
0005411108.tif 000005
【図５】
0005411108.tif 000006
【図６】
0005411108.tif 000007
【図７】
0005411108.tif 000008
【図８】
0005411108.tif 000009
【図９】
0005411108.tif 000010
【図１０】
0005411108.tif 000011
【図１１】
0005411108.tif 000012
【図１２】
0005411108.tif 000013
【図１３】
0005411108.tif 000014
【図１４】
0005411108.tif 000015
【図１５】
0005411108.tif 000016
【図１６】
0005411108.tif 000017
【図１７】
0005411108.tif 000018
【図１８】
0005411108.tif 000019
【図１９】
0005411108.tif 000020
【図２０】
0005411108.tif 000021
【図２１】
0005411108.tif 000022
【図２２】
0005411108.tif 000023